(57)【特許請求の範囲】
【請求項１】
セルの領域が複数のサブセルに分割され、基地局から前記サブセル毎の情報を、受信する送受信機と、
前記情報に基づいて取得されるサブセルを用いて、物理レイヤの動作を実行する回路と、
を備え、
前記複数のサブセルの識別子は、成功したランダムアクセス構成の順番に関連づけられている、
ユーザ機器。
【請求項２】
前記領域は、ワイヤレスビーム領域、ワイヤレス周波数リソース領域、およびワイヤレスカバレッジ領域、の少なくとも１つである、
請求項１に記載のユーザ機器。
【請求項３】
前記サブセル毎の情報は、サブセルのＩＤである、
請求項１に記載のユーザ機器。
【請求項４】
前記情報は、システム情報であり、前記複数のサブセルは、前記システム情報によって構成される、
請求項１に記載のユーザ機器。
【請求項５】
グループ共通制御チャネル、又は、グループ共通サーチスペースが、前記サブセル毎に構成される、
請求項１に記載のユーザ機器。
【請求項６】
前記物理レイヤの動作は、サーチスペースランダム化、スクランブルシーケンス及び参照信号の生成、ならびに巡回冗長検査（ＣＲＣ）のマスキング、の少なくとも１つを含む、
請求項１に記載のユーザ機器。
【請求項７】
前記情報は、前記サブセル毎のランダムアクセス構成を含む、
請求項１に記載のユーザ機器。
【請求項８】
前記物理レイヤの動作に用いられる前記サブセルは、ランダムアクセス手順によって取得される、
請求項７に記載のユーザ機器。
【請求項９】
前記情報は、すべてのランダムアクセス構成を含む、
請求項７に記載のユーザ機器。
【請求項１０】
ユーザ機器が、セルの領域が複数のサブセルに分割され、基地局から前記サブセル毎の情報を受信する工程と、
前記ユーザ機器が、前記情報に基づいて取得されるサブセルを用いて、物理レイヤの動作を実行する工程と、
を備え、
前記複数のサブセルの識別子は、成功したランダムアクセス構成の順番に関連づけられている、
通信方法。
【発明の詳細な説明】
【技術分野】
【０００１】
本技術は、ワイヤレス通信の分野に関し、より詳細にはユーザ機器および通信方法に関する。
【背景技術】
【０００２】
ワイヤレス通信の分野では、ユーザ機器（ＵＥ：Ｕｓｅｒ  Ｅｑｕｉｐｍｅｎｔ）としても知られるエンドユーザの無線またはワイヤレス端末が、無線アクセスネットワーク（ＲＡＮ）などのワイヤレスネットワークを介して、「ｅＮｏｄｅＢ」（ｅＮＢ）とも呼ばれる無線基地局（ＲＢＳ）と通信する。無線アクセスネットワーク（ＲＡＮ）は、セルエリアに分割された地理エリアをカバーし、各セルエリアは無線基地局からサービスを受ける。
【先行技術文献】
【非特許文献】
【０００３】
【非特許文献１】Standard 3GPP TS36.213
【非特許文献２】Section 9.1.4 EPDCCH assignment procedure of 3GPP TS36.213
【非特許文献３】9.1.1 PDCCH assignment procedure, 3GPP TS36.213
【非特許文献４】Section 6.6 Physical broadcast channel in standard 3GPP 36.211
【非特許文献５】Clause 7.2 of standard 3GPP 36.211
【発明の概要】
【発明が解決しようとする課題】
【０００４】
非制限的で例示的な一実施形態は、柔軟性があり効率的なワイヤレス通信方法、装置、およびシステムを提供することを容易にする。
【課題を解決するための手段】
【０００５】
１つの一般的態様では、第１のノードにおけるユーザ機器（ＵＥ）が提供され、このユーザ機器は、第２のノードとの間でデータを送信および受信するように動作する送受信機と、少なくともサブセル識別子（ＩＤ）を物理レイヤの動作のために使用するように動作する回路と、を備え、サブセルＩＤは、同じサブセル内のＵＥに割り当てられ、セルが、ある種類の領域の異なる分割部分にあるサブセルに分割される。
【０００６】
別の一般的態様では、基地局が提供され、この基地局は、ユーザ機器との間でデータを送信および受信するように動作する送受信機と、セルをある種類の領域の異なる分割部分にあるサブセルに分割するように動作する回路と、を備え、サブセル識別子（ＩＤ）が、同じサブセル内のユーザ機器（ＵＥ）に割り当てられ、少なくともサブセルＩＤがＵＥにおける物理レイヤの動作のために使用される。
【０００７】
別の一般的態様では、第１のノードにおけるユーザ機器（ＵＥ）のための方法が提供され、この方法は、第２のノードとの間でデータを送信および受信するステップと、少なくともサブセル識別子（ＩＤ）を物理レイヤの動作のために使用するステップと、を含み、サブセルＩＤは、同じサブセル内のＵＥに割り当てられ、セルが、ある種類の領域の異なる分割部分にあるサブセルに分割される。
【０００８】
一般的または具体的な実施形態は、システム、方法、集積回路、コンピュータプログラム、記憶媒体、またはそれらの選択的な組み合わせとして実施され得ることに留意されたい。
【０００９】
開示される実施形態のさらなる利益および利点は、明細書および図面から明らかになろう。利益および／または利点は、様々な実施形態ならびに明細書および図面の特徴から個々に得ることができるが、そのような利益および／または利点の１つまたは複数を得るために、それらすべてが提供される必要はない。
【図面の簡単な説明】
【００１０】
【図１】本発明の第１の実施形態に係るユーザ機器（ＵＥ）のブロック図の概略図である。
【図２Ａ】セル内のサブセルの概念図の概略図である。
【図２Ｂ】第１の種類の領域、第２の種類の領域、第３の種類の領域各々の異なる分割部分にあるサブセルの概念図の概略図である。
【図３】本発明の第２の実施形態に係るＵＥのための方法のフローチャートの概略図である。
【図４】本発明の第３の実施形態に係る基地局（ＢＳ）のブロック図の概略図である。
【図５】本発明の第４の実施形態に係るＢＳのための方法のフローチャートの概略図である。
【図６】本発明の第５の実施形態に係るＵＥのブロック図の概略図である。
【図７】本発明の第６の実施形態に係るＵＥのための方法のフローチャートの概略図である。
【図８】本発明の第６の実施形態に係るＵＥのための別の詳細な方法のフローチャートの概略図である。
【図９】本発明の第７の実施形態に係るＢＳのブロック図の概略図である。
【図１０】本発明の第８の実施形態に係るＢＳのための方法のフローチャートの概略図である。
【発明を実施するための形態】
【００１１】
次いで図１〜１０を参照して実施形態を説明するが、それらの実施形態は通信方法、装置、およびシステムに関する。本技術は多くの異なる形態および多くの異なる順序で具現化することが可能であり、本明細書に述べられる実施形態に限定されると解釈されるべきではないことが理解される。むしろ、それらの実施形態は、本開示が十分で完全なものとなり、本技術を当業者に十分に伝えるために提供される。実際、本技術は、それらの実施形態の代替形態、変更形態、および均等形態を包含することが意図され、それらは、添付の特許請求の範囲によって定義される本技術の範囲および主旨に含まれる。さらに、以下の本技術の詳細な説明では、本技術の十分な理解を提供するために数多くの具体的な詳細事項が述べられる。しかし、当業者には、本技術はそのような具体的な詳細事項なしで実施されてもよいことが明らかであろう。
【００１２】
方法のステップの順序および構成要素の構造は、例示の目的で本明細書において提供され、制限のために提供されるものではない。以下の本技術の詳細な説明は、例示および説明の目的で与えられる。網羅的なものである、または本技術を開示される通りの形態に限定することを意図するものではない。上記の教示に照らして、多くの変更および変形が可能である。記載される実施形態は、本技術の原理およびその実用的応用を最もよく説明し、それにより当業者が本技術を様々な実施形態で、また企図される特定の用途に適した様々な変更を加えて最もよく利用できるようにするために選択されたものである。本技術の範囲は添付の特許請求の範囲によって定義されることが意図される。
【００１３】
セル分割は、良好なリソース再利用を可能にするための、３ＧＰＰでよく知られている方法である。フェムト／ピコなどの小型の基地局の中には、小さいサイズのセルを密に配備することが可能なものがある。しかし、セル分割は、通例、一つのセルを、異なる場所にある異なる小さいセルに分割することによって行われる。そしてさらに、この場合、リソース分割またはセル分割はどちらかと言えば静的であり、あらかじめ好適にネットワークを計画することに依拠する。また、ネットワーク内に小さいセルを密に配備すると、特にＵＥの移動性およびハンドオーバーを考えたときにＵＥの電力を多く消費することになる。ネットワーク内のエアインターフェースのオーバーヘッドも、同期信号、および物理ブロードキャストチャネル（ＰＢＣＨ：Ｐｈｙｓｉｃａｌ  Ｂｒｏａｄｃａｓｔ  Ｃｈａｎｎｅｌ）を含むシステム情報ブロードキャストのために大きい。
【００１４】
そのため、従来のセル分割は、セルを小さいセルに分割する際の柔軟性がなく、電力およびエアインターフェースオーバーヘッドなどの多くのリソースを消費する。
【００１５】
図１は、本発明の第１の実施形態に係るユーザ機器（ＵＥ）１００のブロック図を概略的に示す。
【００１６】
第１のノードにおけるＵＥ１００は、第２のノードとの間でデータを送信および受信するように動作する送受信機１０１と、少なくともサブセル識別子（ＩＤ）を物理レイヤの動作のために使用するように動作する回路１０２と、を含む。サブセルＩＤは同じサブセル内のＵＥに割り当てられ、セルは、ある種類の領域の異なる分割部分にあるサブセルに分割される。
【００１７】
したがって、セルは、ある種類の領域の異なる分割部分にあるサブセルに分割することができ（異なる場所または物理的エリアだけでなく、またはそれ以外でも）、どのようにセルをサブセルに分割するかは、例えばＲＲＣ構成により、基地局が管理できるため、サブセルへの分割がより柔軟になる。
【００１８】
図２Ａは、セル内のサブセルの概念図を概略的に示す。図２Ａに示すように、セルＡは、ある種類の領域の異なる分割部分にある３つのサブセル（サブセル１、サブセル２、およびサブセル３）に分割することができる。サブセル１は送信および受信ポイント（ＴＲＰ：Ｔｒａｎｓｍｉｓｓｉｏｎ  ａｎｄ  Ｒｅｃｅｐｔｉｏｎ  Ｐｏｉｎｔ）１により管理することができ、サブセル２はＴＲＰ２により管理することができ、サブセル３はＴＲＰ３により管理することができる。ＴＲＰは、ある種のリモート無線ユニット（ＲＲＵ：Ｒｅｍｏｔｅ  Ｒａｄｉｏ  Ｕｎｉｔ）であってよい。
【００１９】
図２Ｂは、第１の種類の領域、第２の種類の領域、第３の種類の領域各々の異なる分割部分にあるサブセルの概念図を概略的に示す。
【００２０】
第１の種類の領域はワイヤレスビーム領域であり、図２Ｂの左側の部分から分かるように、１つのセルを３つのサブセル、すなわち、それぞれ異なるワイヤレスビーム領域にあるサブセル１、サブセル２、およびサブセル３に分割することができる。ワイヤレスビームは扇形の形状を有するので、各サブセルも扇形の形状を有し得る。
【００２１】
第２の種類の領域はワイヤレス周波数リソース領域であり、図２Ｂの真ん中の部分から分かるように、１つのセルを３つのサブセル、すなわち、同じスロット内の同じキャリアにあっても異なる周波数リソースにある、サブセル１、サブセル２、およびサブセル３に分割することができる。
【００２２】
第３の種類の領域はカバレッジ領域であり、図２Ｂの右側の部分から分かるように、１つのセルを３つのサブセル、すなわち、それぞれ異なるカバレッジをカバーする、サブセル１、サブセル２、およびサブセル３に分割することができる。各サブセルは、異なるカバレッジエリア、例えば、通常カバレッジ、拡張されたカバレッジなどを占めることができる。
【００２３】
ただし、上述の領域は例に過ぎず、サブセルは他の領域で実現されてもよい。
【００２４】
そして、領域（この実施形態では、領域の種類は、ワイヤレスビーム領域、ワイヤレス周波数リソース領域、およびワイヤレスカバレッジ領域の少なくとも１つを含むことができる）は、静的な場所またはエリアのようなものではなく、動的にすることができるので、ＵＥの移動性や無線環境の変化などに対応するように、サブセルへの分割をより動的にすることができる。
【００２５】
一実施形態では、セルは、セルにより（例えば、セルの基地局により）送信されるシステム情報の構成に基づいてサブセルに分割されてよい。そのため、セルをサブセルに分割することが柔軟になる。
【００２６】
上記で紹介したサブセルの特性および従来のセル分割とのその違いのために、サーチスペース、ＲＳ、および制御チャネルの設計にいくつかの新たな要件がある可能性がある。特に、サブセル内でＵＥに共有される共通サーチスペース（グループ共通サーチスペースと呼ばれることがあり、これはセル内のすべてのＵＥに共有される従来の共通サーチスペースとは異なる）が問題となる可能性がある。サブセルのグループ共通サーチスペース（ＧＣＳＳ：Ｇｒｏｕｐ  Ｃｏｍｍｏｎ  Ｓｅａｒｃｈ  Ｓｐａｃｅ）をどのように構成し、また一つのセル内のサブセル間ならびに異なるセル内のサブセル間のＧＣＳＳの衝突をどのように解消するかは、いくつかの検討を必要とする。
【００２７】
現在の標準では、従来のセル分割の場合、セルに割り当てられた物理セル識別（ＰＣＩ：Ｐｈｙｓｉｃａｌ−Ｌａｙｅｒ  Ｃｅｌｌ  Ｉｄｅｎｔｉｔｙ）が共通サーチスペースの従来のランダム化に使用されるが、これは上述のサブセルに関するＧＣＳＳのランダム化には使用することができない。その理由は、１つのセル（またはセル分割）内にある異なるサブセルは同じＰＣＩを有する場合があり、そのため、ＧＣＳＳのランダム化のためにＰＣＩが依然として使用されると、サブセル間の重篤な干渉または衝突が生じ得るためである。ＵＥ識別子（ＩＤ）もＧＣＳＳのランダム化には有効でない。その理由は、ＧＣＳＳは一つのサブセル内にあるすべてのＵＥに共有される必要があるためである。
【００２８】
同様の問題が、サブセル間の参照信号のシーケンス生成およびスクランブリングに関して存在する。
【００２９】
また、サブセルの場合、Ｎｅｗ  Ｒａｄｉｏ（ＮＲ）ではＴＴＩの長さがより短く、サブセルが密に配備されることに起因して、ダウンリンク制御情報（ＤＣＩ：Ｄｏｗｎｌｉｎｋ  Ｃｏｎｔｒｏｌ  Ｉｎｆｏｒｍａｔｉｏｎ）のエラー検出確率を低減するために巡回冗長検査（ＣＲＣ：Ｃｙｃｌｉｃ  Ｒｅｄｕｎｄａｎｃｙ  Ｃｈｅｃｋ）のサイズが増大される可能性がある（例えば、ＣＲＣが１６ビットから２４ビットに増大される）。その場合、１６ビットのレガシー無線ネットワーク一時識別（ＲＮＴＩ：Ｒａｄｉｏ  Ｎｅｔｗｏｒｋ  Ｔｅｍｐｏｒａｒｙ  Ｉｄｅｎｔｉｆｉｅｒ）がＣＲＣのマスキングに使用されると、ＮＲにおいてＤＣＩのＣＲＣをどのようにマスクするかが問題となる。
【００３０】
したがって、本開示の実施形態を用いると、個々の物理レイヤ動作を行うために、１つのサブセル内にある各ＵＥに割り当てられたサブセル識別子（ＩＤ）を少なくとも使用することにより、異なるサブセル間の干渉または衝突がなくなるか、または低減する。
【００３１】
また、同じサブセル内のＵＥは、その同じサブセルに割り当てられたサブセルＩＤを使用することにより、同じグループ共通制御チャネルを共有するか、または同じグループ共通サーチスペースを共有することができ、一方で、同じサブセル内のＵＥは、依然としてセル（すなわち、セルの基地局）からシステム情報を得ることができる。したがって、サブセルのグループ共通サーチスペース（ＧＣＳＳ）をサブセルＩＤと併せて構成することができ、同じサブセル内のＵＥは、このサブセルＩＤを使用することにより、同じグループ共通制御チャネルを共有するか、または同じグループ共通サーチスペースを共有することができ、一方で、同じサブセル内のＵＥは、それらのＵＥが属するセルからシステム情報を得ることができ、それによりシステムリソースおよびエアインターフェースオーバーヘッドを節減する。
【００３２】
一実施形態では、物理レイヤの動作は、サーチスペースランダム化、スクランブルシーケンスおよび参照信号の生成、ならびに巡回冗長検査（ＣＲＣ）のマスキング、の少なくとも１つを含むことができる。
【００３３】
一実施形態では、物理レイヤの動作は、グループ共通制御チャネルの、サーチスペースランダム化、参照信号生成、スクランブルシーケンス生成、および巡回冗長検査（ＣＲＣ）マスキング、のうちの少なくとも１つにおける初期化手順を含むことができる。
【００３４】
一実施形態では、回路１０２は、物理レイヤの動作のためにサブセルＩＤの関数およびセルＩＤを使用するように動作してよく、または回路１０２は、物理レイヤの動作のためにサブセルＩＤを使用するように動作する。
【００３５】
一実施形態では、セルＩＤは物理セル識別（ＰＣＩ）であってよい。しかし、セルＩＤはこれに限定されず、他の識別が使用されてよい。
【００３６】
一実施形態では、物理レイヤの動作が、物理ダウンリンク制御チャネル（ＥＰＤＣＣＨ：Ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ）に基づくサーチスペースランダム化である場合、従来のＥＰＤＣＣＨサーチスペースの式は以下となる。
【００３７】
【数１】
0006899439.tif 000002
ここで、Ｙｐ，ｋは下記に定義され、ｉ＝０，．．．，Ｌ−１であり、ＵＥが、ＥＰＤＣＣＨが監視されるサービングセルに対応するキャリアインジケータフィールドを備えて構成される場合、ｂ＝ｎＣＩであり、そうでない場合はｂ＝０であり、ｎＣＩはキャリアインジケータフィールド値であり、
【数２】
0006899439.tif 000003
である。
【００３８】
ＵＥが、ＥＰＤＣＣＨが監視されるサービングセルに対応するキャリアインジケータフィールドを備えて構成されない場合、
【数３】
0006899439.tif 000004
は、ＥＰＤＣＣＨが監視されるサービングセルについての拡張型物理ダウンリンク制御チャネル−物理リソースブロックセット（ＥＰＤＣＣＨ−ＰＲＢ−ｓｅｔ）ｐにおいてアグリゲーションレベルＬで監視するＥＰＤＣＣＨ候補の数であり、それ以外の場合、
【数４】
0006899439.tif 000005
は、ｎＣＩによって示されるサービングセルに対応するＥＰＤＣＣＨ−ＰＲＢ−ｓｅｔ  ｐにおいてアグリゲーションレベルＬで監視するＥＰＤＣＣＨ候補の数である。
【００３９】
ＵＥが、あるサービングセルに対応するＥＰＤＣＣＨ−ＰＲＢ−ｓｅｔ  ｐにおいてアグリゲーションレベルＬの特定のサーチスペースに対する上位層パラメータ  ｐｄｃｃｈ−ｃａｎｄｉｄａｔｅＲｅｄｕｃｔｉｏｎで構成される場合、対応するＥＰＤＣＣＨ候補の数は、
【数５】
0006899439.tif 000006
によって与えられ、ここでａの値が求められ、
【数６】
0006899439.tif 000007
が、
【数７】
0006899439.tif 000008
を
【数８】
0006899439.tif 000009
で置き換えることによって求められる。
【００４０】
ＵＥが上位層パラメータｃｉｆ−ＩｎＳｃｈｅｄｕｌｉｎｇＣｅｌｌ−ｒ１３で構成される場合、キャリアインジケータフィールド値はｃｉｆ−ＩｎＳｃｈｅｄｕｌｉｎｇＣｅｌｌ−ｒ１３に対応し、それ以外の場合、キャリアインジケータフィールド値はＳｅｒｖＣｅｌｌＩｎｄｅｘと同じである。
【００４１】
あるＥＰＤＣＣＨ候補に対応する拡張型制御チャネルエレメント（ＥＣＣＥ：Ｅｎｈａｎｃｅｄ  Ｃｏｎｔｒｏｌ  Ｃｈａｎｎｅｌ  Ｅｌｅｍｅｎｔ）が、同じサブフレーム内のＰＢＣＨまたは一次もしくは二次同期信号どちらかの送信と周波数が重複するＰＲＢペアにマッピングされている場合、ＵＥはそのＥＰＤＣＣＨ候補を監視することを期待されない。
【００４２】
ＵＥが、同じ
【数９】
0006899439.tif 000010
値を持つ２つのＥＰＤＣＣＨ−ＰＲＢ−ｓｅｔで構成されている場合（ここで、
【数１０】
0006899439.tif 000011
は非特許文献１に定義される）、ＵＥが、それらのＥＰＤＣＣＨ−ＰＲＢ−ｓｅｔのうち一方に対応する所与のＤＣＩペイロードサイズを有し、リソースエレメント（ＲＥ：Ｒｅｓｏｕｒｃｅ  Ｅｌｅｍｅｎｔ）の所与のセットにのみマッピングされたＥＰＤＣＣＨ候補を受信した場合（非特許文献１に記載される）、ＵＥが、同じＤＣＩペイロードサイズを有し、もう一方のＥＰＤＣＣＨ−ＰＲＢ−ｓｅｔに対応し、ＲＥの同じセットにのみマッピングされたＥＰＤＣＣＨ候補を監視するように構成される場合、および、受信されたＥＰＤＣＣＨ候補の１番目のＥＣＣＥの番号が、Ｈｙｂｒｉｄ  Ａｕｔｏｍａｔｉｃ  Ｒｅｐｅａｔ  ｒｅＱｕｅｓｔ−ＡＣＫｎｏｗｌｅｄｇｅ（ＨＡＲＱ−ＡＣＫ）送信のための物理アップリンク制御チャネル（ＰＵＣＣＨ：Ｐｈｙｓｉｃａｌ  Ｕｐｌｉｎｋ  Ｃｏｎｔｒｏｌ  Ｃｈａｎｎｅｌ）リソースを決定するために使用される場合（非特許文献１に記載される）において、１番目のＥＣＣＥの番号は、ＥＰＤＣＣＨ−ＰＲＢ−ｓｅｔに基づいて決定されるものとし、ｐ＝０である。
【００４３】
変数Ｙｐ，ｋは、
Ｙｐ，ｋ＝（Ａｐ・Ｙｐ，ｋ−１）ｍｏｄＤ、およびＹｐ，−１＝ｎＲＮＴＩ≠０によって定義され、Ａ０＝３９８２７、Ａ１＝３９８２９、Ｄ＝６５５３７、および
【数１１】
0006899439.tif 000012
であり、ｎｓは、無線フレーム中のスロット番号である。ｎＲＮＴＩに使用されるＲＮＴＩ値は、ダウンリンクおよびアップリンクにおいて非特許文献１に定義される。ＵＥが監視すべきＤＣＩフォーマットは、非特許文献１に定義されるように、各サービングセルの構成された送信モードに依存する（さらなる詳細は、非特許文献２から得ることができる）。
【００４４】
この場合、上記のようにグループ共通制御チャネルのランダム化にＵＥ固有ＲＮＴＩのみが使用されると、異なるＵＥがグループ共通サーチスペースを共有することができない。グループ共通制御チャネルのランダム化にＰＣＩが使用されると、異なるサブセルのグループ共通サーチスペース同士が衝突する可能性がある。これは、それらのサブセルが同じセルに属し、同じＰＣＩを有する可能性があるためである。この場合、異なるサブセルのサーチスペース同士が時間／周波数領域で衝突し、互いに対して重篤な干渉を引き起こす可能性がある。そのため、この実施形態では、以下のように、少なくともサブセルＩＤ（例えば、ＰＣＩとサブセルＩＤの両方、またはサブセルＩＤのみ）をグループ共通サーチスペースランダム化のために考慮することを提案する。
【００４５】
回路１０２は、Ｙｐ，−１＝ｎ＿ｓｕｂｃｅｌｌ＋ｎ＿ｃｅｌｌ≠０をサーチスペースランダム化の初期化に適用するか、またはＹｐ，−１＝ｎ＿ｃｅｌｌ×（２＾（ｎ＿ｓｕｂｃｅｌｌのビット幅））＋ｎ＿ｓｕｂｃｅｌｌ≠０をサーチスペースランダム化の初期化に適用するか、またはＹｐ，−１＝ｎ＿ｓｕｂｃｅｌｌ×（２＾（ｎ＿ｃｅｌｌのビット幅））＋ｎ＿ｃｅｌｌ≠０をサーチスペースランダム化の初期化に適用するか、またはＹｐ，−１＝ｎ＿ｓｕｂｃｅｌｌ≠０をサーチスペースランダム化の初期化に適用するように動作し、ここでｎ＿ｓｕｂｃｅｌｌはサブセルＩＤを示し、ｎ＿ｃｅｌｌはセルＩＤを示す。
【００４６】
無論、上述のセルＩＤおよびサブセルＩＤ（またはサブセルＩＤのみ）の関数は例に過ぎず、当業者は、サーチスペースランダム化の初期化のためのセルＩＤおよびサブセルＩＤ（またはサブセルＩＤのみ）の他の関数を思い付かれよう。
【００４７】
したがって、本実施形態では、サブセル間に重篤な干渉または衝突が生じ得る。
【００４８】
現在の非特許文献１に基づく、物理ダウンリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）に基づいたサーチスペース形成の場合、サーチスペースの式は以下のようになる（非特許文献３を参照）。
【００４９】
監視すべきＰＤＣＣＨ候補のセットは、サーチスペースの点から定義され、ここで、アグリゲーションレベルＬ∈｛１，２，４，８｝におけるサーチスペース
【数１２】
0006899439.tif 000013
は、ＰＤＣＣＨ候補のセットによって定義される。ＰＤＣＣＨが監視される各サービングセルについて、サーチスペース
【数１３】
0006899439.tif 000014
のＰＤＣＣＨ候補ｍに対応するＣＣＥは、以下の式により与えられる。
【００５０】
【数１４】
0006899439.tif 000015
ここでＹｋ＝（Ａ・Ｙｋ−１）ｍｏｄＤである。
【００５１】
上記式中、ｉ＝０，．．．，Ｌ−１である。共通のサーチスペースについて、ｍ’＝ｍである。ＰＤＣＣＨ  ＵＥ固有のサーチスペースの場合、ＰＤＣＣＨが監視されるサービングセルについて、監視を行うＵＥがキャリアインジケータフィールドを備えて構成される場合、ｍ’＝ｍ＋Ｍ（Ｌ）・ｎＣＩとなり、ここで、ｎＣＩはキャリアインジケータフィールド値である。そうではなく、監視を行うＵＥがキャリアインジケータフィールドを備えて構成されない場合、ｍ’＝ｍであり、ここでｍ＝０，．．．，Ｍ（Ｌ）−１である。Ｍ（Ｌ）は、当該サーチスペースで監視すべきＰＤＣＣＨ候補の数である。
【００５２】
ここで、Ｙ−１＝ｎＲＮＴＩ≠０、Ａ＝３９８２７、Ｄ＝６５５３７、および
【数１５】
0006899439.tif 000016
である。
【００５３】
ここで、従来、サーチスペースの初期化はＵＥ固有のＲＮＴＩ（ｎＲＮＴＩ）に依拠しているが、サブセル内ではＵＥが同じグループ共通サーチスペースを共有する必要があるため、これはサブセルには有効でない。しかし、同時に、同じセル内または異なるセル間でのグループ共通サーチスペースの衝突を回避する必要がある。
【００５４】
そのため、本実施形態では、サブセルＩＤをサーチスペースランダム化に使用するという提案に基づいて、サーチスペースの初期化は、以下のオプションのようになる。
【００５５】
物理レイヤの動作が、物理ダウンリンク制御チャネル（ＰＤＣＣＨ）に基づくサーチスペースランダム化である場合、回路１０２は、Ｙ−１＝ｎ＿ｓｕｂｃｅｌｌ＋ｎ＿ｃｅｌｌ≠０をサーチスペースランダム化の初期化に適用するか、またはＹ−１＝ｎ＿ｃｅｌｌ×（２＾（ｎ＿ｓｕｂｃｅｌｌのビット幅））＋ｎ＿ｓｕｂｃｅｌｌ≠０をサーチスペースランダム化の初期化に適用するか、またはＹ−１＝ｎ＿ｓｕｂｃｅｌｌ×（２＾（ｎ＿ｃｅｌｌのビット幅））＋ｎ＿ｃｅｌｌ≠０をサーチスペースランダム化の初期化に適用するか、またはＹ−１＝ｎ＿ｓｕｂｃｅｌｌ≠０をサーチスペースランダム化の初期化に適用するように動作し、ここでｎ＿ｓｕｂｃｅｌｌはサブセルＩＤを示し、ｎ＿ｃｅｌｌはセルＩＤを示す。
【００５６】
ここで、一つのオプションでは、セルＩＤ（ＰＣＩなど）とサブセルＩＤの両方が、異なる衝突（同じセルまたは異なるセルからの）を回避すると考えられ、別のオプションでは、サブセルＩＤのみで、異なる衝突（同じセルまたは異なるセルからの）を回避する効果がある場合もある。
【００５７】
サブセル内のグループ共通サーチスペースのための参照信号（ＲＳ：Ｒｅｆｅｒｅｎｃｅ  Ｓｉｇｎａｌ）のシーケンス開始の場合、ＣＲＳシーケンスの生成式は以下となる。
【００５８】
【数１６】
0006899439.tif 000017
物理レイヤの動作が参照信号ＲＳの生成である場合、回路１０２は、
【数１７】
0006899439.tif 000018
を参照信号生成の初期化に適用するように動作し、ここで、ｎｓｕｂｃｅｌｌは、サブセルＩＤの１０進値を示し、ｎｃｅｌｌはセルＩＤの１０進値を示し、
【数１８】
0006899439.tif 000019
は無線フレーム中のスロット番号であり、
【数１９】
0006899439.tif 000020
である。
【００５９】
したがって、この実施形態では、セルＩＤ（ＰＣＩなど）とサブセルＩＤの両方が、サブセル内のグループ共通サーチスペースのための参照信号（ＲＳ）のシーケンス開始において、（同じセルまたはセルからの）異なる衝突を回避すると考えられる。
【００６０】
サブセル内のグループ共通サーチスペースのスクランブルシーケンス生成の場合、レガシーのブロードキャストチャネルのためのデータスクランブル式（非特許文献４を参照）、すなわち
【数２０】
0006899439.tif 000021
が前提とされる。
【００６１】
詳細には、ビットのブロックｂ（０），．．．，ｂ（Ｍｂｉｔ−１）（ここで、Ｍｂｉｔは物理ブロードキャストチャネルで送信されるビット数であり、通常の巡回プレフィクスの場合は１９２０に等しく、拡張された巡回プレフィクスの場合は１７２８に等しい）は、変調前にセル固有のシーケンスでスクランブルされるものとし、その結果、
【数２１】
0006899439.tif 000022
である上記の式に従うと、スクランブルされたビットのブロック
【数２２】
0006899439.tif 000023
が得られる。
【００６２】
ここで、スクランブルシーケンスｃ（ｉ）は、非特許文献５により与えられる。従来、スクランブルシーケンスは、ｎｆｍｏｄ４＝０を満たす無線フレームごとに、
【数２３】
0006899439.tif 000024
で初期化されるものとされる（非特許文献４に記載される）。
【００６３】
代わりに、この実施形態では、物理レイヤの動作がスクランブルシーケンス生成である場合、回路１０２は、
【数２４】
0006899439.tif 000025
をスクランブルシーケンス生成の初期化に適用するように動作し、ここで、
【数２５】
0006899439.tif 000026
はサブセルＩＤを示し、
【数２６】
0006899439.tif 000027
はセルＩＤを示す。
【００６４】
上記実施形態の利益は、グループ共通制御チャネルの動作が明瞭化され、過大な変更を回避するためにレガシープロトコルが可能な限り使用されることである。また、良好なリソース／シーケンスの再使用も実現することができる。
【００６５】
サブセル内のユニキャストデータチャネルのスクランブリングおよび／またはＲＳ生成の場合、１）同じセル内の異なるサブセルからの衝突、２）異なるセル内の異なるサブセルからの衝突、および３）同じサブセルからの衝突を回避することが必要とされる。
【００６６】
従来のＲＮＴＩのみ、ＰＣＩのみ、またはサブセルＩＤのみでは、これら３種の衝突すべてを解消することはできない可能性がある。したがって、ここではＲＮＴＩ、ＰＣＩ、およびサブセルＩＤのすべてを共に組み合わせて、ユニキャストチャネルのスクランブルシーケンスおよびＲＳシーケンスを生成する。
【００６７】
したがって、物理レイヤの動作がユニキャストデータチャネルのスクランブルシーケンス生成および参照信号生成である場合、回路１０２は、
【数２７】
0006899439.tif 000028
をユニキャストデータチャネルのスクランブルシーケンス生成の初期化に適用するか、または、
【数２８】
0006899439.tif 000029
をユニキャストデータチャネルの参照信号生成の初期化に適用するように動作し、ここで、
【数２９】
0006899439.tif 000030
はサブセルＩＤを示し、
【数３０】
0006899439.tif 000031
はセルＩＤを示し、ｎＲＮＴＩは、セル−無線ネットワーク一時識別子（Ｃ−ＲＮＴＩ）であり、ｎｓは無線フレーム中のスロット番号であり、ｑはコードワード数に関連し、ｑ∈｛０，１｝であり、単一コードワードの送信の場合、ｑはゼロに等しく、その他の場合は１に等しい。
【００６８】
したがって、この実施形態を用いると、同じセル内の異なるサブセルからの衝突、異なるセル内の異なるサブセルからの衝突、および同じサブセルからの衝突を回避することができる。
【００６９】
サブセル内の制御チャネルのＣＲＣマスクの場合、ＣＲＣサイズが２４ビットに増大され、サブセルＩＤがＸビットであり、ＲＮＴＩが１６ビットのままである（現在のＬＴＥと同じ）であると仮定すると、次の３つのケースがある。（１）サブセルＩＤが８ビットの場合、サブセルＩＤにレガシーＲＮＴＩ（例えばＣ−ＲＮＴＩ）を加えたものが、制御チャネルのＣＲＣマスクに使用される。（２）サブセルＩＤが８ビットより小さい場合（Ｘビット）、（８−Ｘ）個の「ゼロ」ビットにサブセルＩＤおよびレガシーＲＮＴＩ（例えばＣ−ＲＮＴＩ）を加えたものが、制御チャネルのＣＲＣマスクに使用される。（３）サブセルＩＤが８ビットより大きい場合（Ｙビット）、サブセルＩＤの８ビットのＬＳＢにレガシーＲＮＴＩ（例えばＣ−ＲＮＴＩ）を加えたものが、制御チャネルのＣＲＣマスクに使用される。
【００７０】
すなわち、物理レイヤの動作が制御チャネルのＣＲＣマスキングである場合、回路１０２は、サブセルＩＤのビット数が８である場合は、サブセルＩＤにレガシー無線ネットワーク一時識別（ＲＮＴＩ）を加えたものをＣＲＣマスキングに適用し、サブセルＩＤのビット数が８より小さいＸである場合は、（８−Ｘ）個の「ゼロ」ビットにサブセルＩＤおよびレガシーＲＮＴＩを加えたものをＣＲＣマスキングに適用し、サブセルＩＤのビット数が８より大きいＹである場合は、サブセルＩＤの８ビットの最下位ビット（ＬＳＢ：Ｌｅａｓｔ  Ｓｉｇｎｉｆｉｃａｎｔ  Ｂｉｔ）にレガシーＲＮＴＩを加えたものをＣＲＣマスキングに適用するように動作し、ここでＸおよびＹはそれぞれ正の整数である。
【００７１】
上記実施形態の利益は、ＲＮＴＩサイズを増大させる必要がなく、そのためレガシーのＲＮＴＩを再使用できることである。また、ランダムアクセス応答（ＲＡＲ：Ｒａｎｄｏｍ  Ａｃｃｅｓｓ  Ｒｅｓｐｏｎｓｅ）の指示オーバーヘッドおよび無線アクセスネットワーク（ＲＡＮ：Ｒａｄｉｏ  Ａｃｃｅｓｓ  Ｎｅｔｗｏｒｋ）２の仕様の複雑度も低減する。
【００７２】
したがって、本発明の実施形態を用いると、サブセルへの分割がより柔軟になり、同じセル内の異なるサブセルからの衝突、異なるセル内の異なるサブセルからの衝突、および同じサブセルからの衝突を回避することができ、システムリソースおよびエアインターフェースのオーバーヘッドを節減することができる。
【００７３】
上記の式は、サブセルＩＤおよびセルＩＤのいくつかの表現、例えば、
【数３１】
0006899439.tif 000032
、
【数３２】
0006899439.tif 000033
、ｎｓｕｂｃｅｌｌ、ｎｃｅｌｌ、ｎ＿ｓｕｂｃｅｌｌ、およびｎ＿ｃｅｌｌを有することに留意されたい。これらの異なる表現は単に標準における同じ表現に合わせたものであるが、これらは制限ではなく、交換可能であり得る。
【００７４】
図３は、本発明の第２の実施形態に係るＵＥのための方法３００のフローチャートを概略的に示す。
【００７５】
第１のノードにおけるユーザ機器（ＵＥ）３００のための方法は、第２のノードとの間でデータを送信および受信するステップＳ３０１と、少なくともサブセル識別子（ＩＤ）を物理レイヤの動作のために使用するステップＳ３０２と、を含み、サブセルＩＤは、同じサブセル内のＵＥに割り当てられ、セルは、ある種類の領域の異なる分割部分にあるサブセルに分割される。
【００７６】
一実施形態では、領域の種類は、ワイヤレスビーム領域、ワイヤレス周波数リソース領域、およびワイヤレスカバレッジ領域、の少なくとも１つを含むことができる。
【００７７】
一実施形態では、セルは、セルにより送信されるシステム情報の構成に基づいてサブセルに分割されてよい。
【００７８】
一実施形態では、同じサブセル内のＵＥは、サブセルＩＤを使用することにより、同じグループ共通制御チャネルを共有するか、または同じグループ共通サーチスペースを共有することができ、同じサブセル内のＵＥはセルからシステム情報を得ることができる。
【００７９】
一実施形態では、物理レイヤの動作は、サーチスペースランダム化、スクランブルシーケンスおよび参照信号の生成、ならびに巡回冗長検査（ＣＲＣ）のマスキング、の少なくとも１つを含むことができる。
【００８０】
一実施形態では、物理レイヤの動作は、グループ共通制御チャネルの、サーチスペースランダム化、参照信号生成、スクランブルシーケンス生成、および巡回冗長検査（ＣＲＣ）マスキング、のうちの少なくとも１つにおける初期化手順を含むことができる。
【００８１】
一実施形態では、回路は、物理レイヤの動作のためにサブセルＩＤの関数およびセルＩＤを使用するように動作してよく、または回路は、物理レイヤの動作のためにサブセルＩＤを使用するように動作してよい。
【００８２】
一実施形態では、セルＩＤは物理セル識別（ＰＣＩ）であってよい。
【００８３】
一実施形態では、物理レイヤの動作が拡張型物理ダウンリンク制御チャネル（ＥＰＤＣＣＨ）に基づくサーチスペースランダム化である場合、回路は、Ｙｐ，−１＝ｎ＿ｓｕｂｃｅｌｌ＋ｎ＿ｃｅｌｌ≠０をサーチスペースランダム化の初期化に適用するか、またはＹｐ，−１＝ｎ＿ｃｅｌｌ×（２＾（ｎ＿ｓｕｂｃｅｌｌのビット幅））＋ｎ＿ｓｕｂｃｅｌｌ≠０をサーチスペースランダム化の初期化に適用するか、またはＹｐ，−１＝ｎ＿ｓｕｂｃｅｌｌ×（２＾（ｎ＿ｃｅｌｌのビット幅））＋ｎ＿ｃｅｌｌ≠０をサーチスペースランダム化の初期化に適用するか、またはＹｐ，−１＝ｎ＿ｓｕｂｃｅｌｌ≠０をサーチスペースランダム化の初期化に適用するように動作してよく、ここで、ｎ＿ｓｕｂｃｅｌｌはサブセルＩＤを示し、ｎ＿ｃｅｌｌはセルＩＤを示す。
【００８４】
一実施形態では、物理レイヤの動作が、物理ダウンリンク制御チャネル（ＰＤＣＣＨ）に基づくサーチスペースランダム化である場合、回路は、Ｙ−１＝ｎ＿ｓｕｂｃｅｌｌ＋ｎ＿ｃｅｌｌ≠０をサーチスペースランダム化の初期化に適用するか、またはＹ−１＝ｎ＿ｃｅｌｌ×（２＾（ｎ＿ｓｕｂｃｅｌｌのビット幅））＋ｎ＿ｓｕｂｃｅｌｌ≠０をサーチスペースランダム化の初期化に適用するか、またはＹ−１＝ｎ＿ｓｕｂｃｅｌｌ×（２＾（ｎ＿ｃｅｌｌのビット幅））＋ｎ＿ｃｅｌｌ≠０をサーチスペースランダム化の初期化に適用するか、またはＹ−１＝ｎ＿ｓｕｂｃｅｌｌ≠０をサーチスペースランダム化の初期化に適用するように動作してよく、ここで、ｎ＿ｓｕｂｃｅｌｌはサブセルＩＤを示し、ｎ＿ｃｅｌｌはセルＩＤを示す。
【００８５】
一実施形態では、物理レイヤの動作が参照信号生成である場合、回路は、
【数３３】
0006899439.tif 000034
を参照信号生成の初期化に適用するように動作し、ここで、ｎｓｕｂｃｅｌｌは、サブセルＩＤの１０進値を示し、ｎｃｅｌｌはセルＩＤの１０進値を示し、
【数３４】
0006899439.tif 000035
は無線フレーム中のスロット番号であり、
【数３５】
0006899439.tif 000036
である。
【００８６】
一実施形態では、物理レイヤの動作がスクランブルシーケンス生成である場合、回路は、
【数３６】
0006899439.tif 000037
をスクランブルシーケンス生成の初期化に適用するように動作してよく、ここで、
【数３７】
0006899439.tif 000038
はサブセルＩＤを示し、
【数３８】
0006899439.tif 000039
はセルＩＤを示す。
【００８７】
一実施形態では、物理レイヤの動作が、ユニキャストデータチャネルのスクランブルシーケンス生成および参照信号生成である場合、回路は、
【数３９】
0006899439.tif 000040
をユニキャストデータチャネルのスクランブルシーケンス生成の初期化に適用するか、または、
【数４０】
0006899439.tif 000041
をユニキャストデータチャネルの参照信号生成の初期化に適用するように動作してよく、ここで、
【数４１】
0006899439.tif 000042
はサブセルＩＤを示し、
【数４２】
0006899439.tif 000043
はセルＩＤを示し、ｎＲＮＴＩは、セル−無線ネットワーク一時識別子（Ｃ−ＲＮＴＩ）であり、ｎｓは無線フレーム中のスロット番号であり、ｑはコードワード数に関連し、ｑ∈｛０，１｝であり、単一コードワードの送信の場合、ｑはゼロに等しく、その他の場合は１に等しい。
【００８８】
一実施形態では、物理レイヤの動作が制御チャネルのＣＲＣマスキングである場合、回路は、サブセルＩＤのビット数が８である場合は、サブセルＩＤにレガシー無線ネットワーク一時識別（ＲＮＴＩ）を加えたものをＣＲＣマスキングに適用し、サブセルＩＤのビット数が８より小さいＸである場合は、（８−Ｘ）個の「ゼロ」ビットにサブセルＩＤおよびレガシーＲＮＴＩを加えたものをＣＲＣマスキングに適用し、サブセルＩＤのビット数が８より大きいＹである場合は、サブセルＩＤの８ビットの最下位ビット（ＬＳＢ）にレガシーＲＮＴＩを加えたものをＣＲＣマスキングに適用するように動作してよく、ここでＸおよびＹはそれぞれ正の整数である。
【００８９】
したがって、本発明の実施形態を用いると、サブセルへの分割がより柔軟になり、同じセル内の異なるサブセルからの衝突、異なるセル内の異なるサブセルからの衝突、および同じサブセルからの衝突を回避することができ、システムリソースおよびエアインターフェースのオーバーヘッドを節減することができる。
【００９０】
図４は、本発明の第３の実施形態に係る基地局（ＢＳ）４００のブロック図を概略的に示す。
【００９１】
基地局４００は、ユーザ機器との間でデータを送信および受信するように動作する送受信機４０１と、セルをある種類の領域の異なる分割部分にあるサブセルに分割するように動作する回路４０２と、を備え、サブセル識別子（ＩＤ）が、同じサブセル内のユーザ機器（ＵＥ）に割り当てられ、少なくともサブセルＩＤがＵＥにおける物理レイヤの動作のために使用される。
【００９２】
一実施形態では、領域の種類は、ワイヤレスビーム領域、ワイヤレス周波数リソース領域、およびワイヤレスカバレッジ領域、の少なくとも１つを含むことができる。
【００９３】
一実施形態では、回路は、セルにより送信されるシステム情報の構成に基づいてセルをサブセルに分割するように動作してよい。
【００９４】
一実施形態では、同じサブセル内のＵＥは、サブセルＩＤを使用することにより、同じグループ共通制御チャネルを共有するか、または同じグループ共通サーチスペースを共有してよく、同じサブセル内のＵＥはセルからシステム情報を得る。
【００９５】
一実施形態では、物理レイヤの動作は、サーチスペースランダム化、スクランブルシーケンスおよび参照信号の生成、ならびに巡回冗長検査（ＣＲＣ）のマスキング、の少なくとも１つを含むことができる。
【００９６】
一実施形態では、物理レイヤの動作は、グループ共通制御チャネルの、サーチスペースランダム化、参照信号生成、スクランブルシーケンス生成、および巡回冗長検査（ＣＲＣ）マスキング、のうちの少なくとも１つにおける初期化手順を含むことができる。
【００９７】
一実施形態では、サブセルＩＤの関数およびセルＩＤが物理レイヤの動作のために使用されてよく、またはサブセルＩＤが物理レイヤの動作のために使用されてよい。
【００９８】
一実施形態では、セルＩＤは物理セル識別（ＰＣＩ）であってよい。
【００９９】
一実施形態では、物理レイヤの動作が拡張型物理ダウンリンク制御チャネル（ＥＰＤＣＣＨ）に基づくサーチスペースランダム化である場合、Ｙｐ，−１＝ｎ＿ｓｕｂｃｅｌｌ＋ｎ＿ｃｅｌｌ≠０をサーチスペースランダム化の初期化に適用するか、またはＹｐ，−１＝ｎ＿ｃｅｌｌ×（２＾（ｎ＿ｓｕｂｃｅｌｌのビット幅））＋ｎ＿ｓｕｂｃｅｌｌ≠０をサーチスペースランダム化の初期化に適用するか、またはＹｐ，−１＝ｎ＿ｓｕｂｃｅｌｌ×（２＾（ｎ＿ｃｅｌｌのビット幅））＋ｎ＿ｃｅｌｌ≠０をサーチスペースランダム化の初期化に適用するか、またはＹｐ，−１＝ｎ＿ｓｕｂｃｅｌｌ≠０をサーチスペースランダム化の初期化に適用することにより、少なくともサブセルＩＤがＵＥにおける物理レイヤの動作のために使用されてよく、ここで、ｎ＿ｓｕｂｃｅｌｌはサブセルＩＤを示し、ｎ＿ｃｅｌｌはセルＩＤを示す。
【０１００】
一実施形態では、物理レイヤの動作が、物理ダウンリンク制御チャネル（ＰＤＣＣＨ）に基づくサーチスペースランダム化である場合、Ｙ−１＝ｎ＿ｓｕｂｃｅｌｌ＋ｎ＿ｃｅｌｌ≠０をサーチスペースランダム化の初期化に適用するか、またはＹ−１＝ｎ＿ｃｅｌｌ×（２＾（ｎ＿ｓｕｂｃｅｌｌのビット幅））＋ｎ＿ｓｕｂｃｅｌｌ≠０をサーチスペースランダム化の初期化に適用するか、またはＹ−１＝ｎ＿ｓｕｂｃｅｌｌ×（２＾（ｎ＿ｃｅｌｌのビット幅））＋ｎ＿ｃｅｌｌ≠０をサーチスペースランダム化の初期化に適用するか、またはＹ−１＝ｎ＿ｓｕｂｃｅｌｌ≠０をサーチスペースランダム化の初期化に適用することにより、少なくともサブセルＩＤがＵＥにおける物理レイヤの動作のために使用されてよく、ここで、ｎ＿ｓｕｂｃｅｌｌはサブセルＩＤを示し、ｎ＿ｃｅｌｌはセルＩＤを示す。
【０１０１】
一実施形態では、物理レイヤの動作が参照信号生成である場合、
【数４３】
0006899439.tif 000044
を参照信号生成の初期化に適用することにより、少なくともサブセルＩＤがＵＥにおける物理レイヤの動作のために使用されてよく、ここで、ｎｓｕｂｃｅｌｌは、サブセルＩＤの１０進値を示し、ｎｃｅｌｌはセルＩＤの１０進値を示し、
【数４４】
0006899439.tif 000045
は無線フレーム中のスロット番号であり、
【数４５】
0006899439.tif 000046
である。
【０１０２】
一実施形態では、物理レイヤの動作がスクランブルシーケンス生成である場合、
【数４６】
0006899439.tif 000047
をスクランブルシーケンス生成の初期化に適用することにより、少なくともサブセルＩＤがＵＥにおける物理レイヤの動作のために使用されてよく、ここで、
【数４７】
0006899439.tif 000048
はサブセルＩＤを示し、
【数４８】
0006899439.tif 000049
はセルＩＤを示す。
【０１０３】
一実施形態では、物理レイヤの動作が、ユニキャストデータチャネルのスクランブルシーケンス生成および参照信号生成である場合、
【数４９】
0006899439.tif 000050
をユニキャストデータチャネルのスクランブルシーケンス生成の初期化に適用するか、または
【数５０】
0006899439.tif 000051
をユニキャストデータチャネルの参照信号生成の初期化に適用することにより、少なくともサブセルＩＤがＵＥにおける物理レイヤの動作のために使用されてよく、ここで
【数５１】
0006899439.tif 000052
はサブセルＩＤを示し、
【数５２】
0006899439.tif 000053
はセルＩＤを示し、ｎＲＮＴＩはセル−無線ネットワーク一時識別子（Ｃ−ＲＮＴＩ）であり、ｎｓは無線フレーム中のスロット番号であり、ｑはコードワード数に関連し、ｑ∈｛０，１｝であり、単一コードワードの送信の場合、ｑはゼロに等しく、その他の場合は１に等しい。
【０１０４】
一実施形態では、物理レイヤの動作が制御チャネルのＣＲＣマスキングである場合、サブセルＩＤのビット数が８である場合は、サブセルＩＤにレガシー無線ネットワーク一時識別（ＲＮＴＩ）を加えたものをＣＲＣマスキングに適用し、サブセルＩＤのビット数が８より小さいＸである場合は、（８−Ｘ）個の「ゼロ」ビットにサブセルＩＤおよびレガシーＲＮＴＩを加えたものをＣＲＣマスキングに適用し、サブセルＩＤのビット数が８より大きいＹである場合は、サブセルＩＤの８ビットの最下位ビット（ＬＳＢ）にレガシーＲＮＴＩを加えたものをＣＲＣマスキングに適用することにより、少なくともサブセルＩＤがＵＥにおける物理レイヤの動作のために使用されてよく、ここでＸおよびＹはそれぞれ正の整数である。
【０１０５】
したがって、本発明の実施形態を用いると、サブセルへの分割がより柔軟になり、同じセル内の異なるサブセルからの衝突、異なるセル内の異なるサブセルからの衝突、および同じサブセルからの衝突を回避することができ、システムリソースおよびエアインターフェースのオーバーヘッドを節減することができる。
【０１０６】
基地局４００は、図１に示されるユーザ機器１００と通信できることに留意されたい。
【０１０７】
図５は、本発明の第４の実施形態に係るＢＳのための方法のフローチャートを概略的に示す。
【０１０８】
基地局のための方法は、ユーザ機器との間でデータを送信および受信するステップＳ５０１と、セルをある種類の領域の異なる分割部分にあるサブセルに分割するステップＳ５０２と、を含み、サブセル識別子（ＩＤ）が、同じサブセル内のユーザ機器（ＵＥ）に割り当てられ、少なくともサブセルＩＤがＵＥにおける物理レイヤの動作のために使用される。
【０１０９】
一実施形態では、領域の種類は、ワイヤレスビーム領域、ワイヤレス周波数リソース領域、およびワイヤレスカバレッジ領域、の少なくとも１つを含むことができる。
【０１１０】
一実施形態では、分割するステップは、セルにより送信されるシステム情報の構成に基づいてセルをサブセルに分割してよい。
【０１１１】
一実施形態では、同じサブセル内のＵＥは、サブセルＩＤを使用することにより、同じグループ共通制御チャネルを共有するか、または同じグループ共通サーチスペースを共有してよく、同じサブセル内のＵＥはセルからシステム情報を得る。
【０１１２】
一実施形態では、物理レイヤの動作は、サーチスペースランダム化、スクランブルシーケンスおよび参照信号の生成、ならびに巡回冗長検査（ＣＲＣ）のマスキング、の少なくとも１つを含むことができる。
【０１１３】
一実施形態では、物理レイヤの動作は、グループ共通制御チャネルの、サーチスペースランダム化、参照信号生成、スクランブルシーケンス生成、および巡回冗長検査（ＣＲＣ）マスキング、のうちの少なくとも１つにおける初期化手順を含むことができる。
【０１１４】
一実施形態では、サブセルＩＤの関数およびセルＩＤが物理レイヤの動作のために使用されてよく、またはサブセルＩＤが物理レイヤの動作のために使用されてよい。
【０１１５】
一実施形態では、セルＩＤは物理セル識別（ＰＣＩ）であってよい。
【０１１６】
一実施形態では、物理レイヤの動作が拡張型物理ダウンリンク制御チャネル（ＥＰＤＣＣＨ）に基づくサーチスペースランダム化である場合、Ｙｐ，−１＝ｎ＿ｓｕｂｃｅｌｌ＋ｎ＿ｃｅｌｌ≠０をサーチスペースランダム化の初期化に適用するか、またはＹｐ，−１＝ｎ＿ｃｅｌｌ×（２＾（ｎ＿ｓｕｂｃｅｌｌのビット幅））＋ｎ＿ｓｕｂｃｅｌｌ≠０をサーチスペースランダム化の初期化に適用するか、またはＹｐ，−１＝ｎ＿ｓｕｂｃｅｌｌ×（２＾（ｎ＿ｃｅｌｌのビット幅））＋ｎ＿ｃｅｌｌ≠０をサーチスペースランダム化の初期化に適用するか、またはＹｐ，−１＝ｎ＿ｓｕｂｃｅｌｌ≠０をサーチスペースランダム化の初期化に適用することにより、少なくともサブセルＩＤがＵＥにおける物理レイヤの動作のために使用されてよく、ここで、ｎ＿ｓｕｂｃｅｌｌはサブセルＩＤを示し、ｎ＿ｃｅｌｌはセルＩＤを示す。
【０１１７】
一実施形態では、物理レイヤの動作が、物理ダウンリンク制御チャネル（ＰＤＣＣＨ）に基づくサーチスペースランダム化である場合、Ｙ−１＝ｎ＿ｓｕｂｃｅｌｌ＋ｎ＿ｃｅｌｌ≠０をサーチスペースランダム化の初期化に適用するか、またはＹ−１＝ｎ＿ｃｅｌｌ×（２＾（ｎ＿ｓｕｂｃｅｌｌのビット幅））＋ｎ＿ｓｕｂｃｅｌｌ≠０をサーチスペースランダム化の初期化に適用するか、またはＹ−１＝ｎ＿ｓｕｂｃｅｌｌ×（２＾（ｎ＿ｃｅｌｌのビット幅））＋ｎ＿ｃｅｌｌ≠０をサーチスペースランダム化の初期化に適用するか、またはＹ−１＝ｎ＿ｓｕｂｃｅｌｌ≠０をサーチスペースランダム化の初期化に適用することにより、少なくともサブセルＩＤがＵＥにおける物理レイヤの動作のために使用されてよく、ここで、ｎ＿ｓｕｂｃｅｌｌはサブセルＩＤを示し、ｎ＿ｃｅｌｌはセルＩＤを示す。
【０１１８】
一実施形態では、物理レイヤの動作が参照信号生成である場合、
【数５３】
0006899439.tif 000054
を参照信号生成の初期化に適用することにより、少なくともサブセルＩＤがＵＥにおける物理レイヤの動作のために使用されてよく、ここで、ｎｓｕｂｃｅｌｌは、サブセルＩＤの１０進値を示し、ｎｃｅｌｌはセルＩＤの１０進値を示し、
【数５４】
0006899439.tif 000055
は無線フレーム中のスロット番号であり、
【数５５】
0006899439.tif 000056
である。
【０１１９】
一実施形態では、物理レイヤの動作がスクランブルシーケンス生成である場合、
【数５６】
0006899439.tif 000057
をスクランブルシーケンス生成の初期化に適用することにより、少なくともサブセルＩＤがＵＥにおける物理レイヤの動作のために使用されてよく、ここで
【数５７】
0006899439.tif 000058
はサブセルＩＤを示し、
【数５８】
0006899439.tif 000059
はセルＩＤを示す。
【０１２０】
一実施形態では、物理レイヤの動作が、ユニキャストデータチャネルのスクランブルシーケンス生成および参照信号生成である場合、
【数５９】
0006899439.tif 000060
をユニキャストデータチャネルのスクランブルシーケンス生成の初期化に適用するか、または
【数６０】
0006899439.tif 000061
をユニキャストデータチャネルの参照信号生成の初期化に適用することにより、少なくともサブセルＩＤがＵＥにおける物理レイヤの動作のために使用されてよく、ここで
【数６１】
0006899439.tif 000062
はサブセルＩＤを示し、
【数６２】
0006899439.tif 000063
はセルＩＤを示し、ｎＲＮＴＩはセル−無線ネットワーク一時識別子（Ｃ−ＲＮＴＩ）であり、ｎｓは無線フレーム中のスロット番号であり、ｑはコードワード数に関連し、ｑ∈｛０，１｝であり、単一コードワードの送信の場合、ｑはゼロに等しく、その他の場合は１に等しい。
【０１２１】
一実施形態では、物理レイヤの動作が制御チャネルのＣＲＣマスキングである場合、サブセルＩＤのビット数が８である場合は、サブセルＩＤにレガシー無線ネットワーク一時識別（ＲＮＴＩ）を加えたものをＣＲＣマスキングに適用し、サブセルＩＤのビット数が８より小さいＸである場合は、（８−Ｘ）個の「ゼロ」ビットにサブセルＩＤおよびレガシーＲＮＴＩを加えたものをＣＲＣマスキングに適用し、サブセルＩＤのビット数が８より大きいＹである場合は、サブセルＩＤの８ビットの最下位ビット（ＬＳＢ）にレガシーＲＮＴＩを加えたものをＣＲＣマスキングに適用することにより、少なくともサブセルＩＤがＵＥにおける物理レイヤの動作のために使用されてよく、ここでＸおよびＹはそれぞれ正の整数である。
【０１２２】
したがって、本発明の実施形態を用いると、サブセルへの分割がより柔軟になり、同じセル内の異なるサブセルからの衝突、異なるセル内の異なるサブセルからの衝突、および同じサブセルからの衝突を回避することができ、システムリソースおよびエアインターフェースのオーバーヘッドを節減することができる。
【０１２３】
図６は、本発明の第５の実施形態に係るＵＥのブロック図を概略的に示す。
【０１２４】
セル内のユーザ機器（ＵＥ）６００は、第２のノードとの間でデータを送信および受信するように動作する送受信機６０１と、サブセルＩＤ取得動作を行うように動作する回路６０２と、を備え、サブセルＩＤは同じサブセル内のＵＥに割り当てられ、セルは、ある種類の領域の異なる分割部分にあるサブセルに分割され、回路６０２は、送受信機にシステム情報ブロック（ＳＩＢ：Ｓｙｓｔｅｍ  Ｉｎｆｏｒｍａｔｉｏｎ  Ｂｌｏｃｋ）中のランダムアクセス構成信号を受信させることにより、ランダムアクセス構成を行うように動作する実行部６０２１と、ランダムアクセス構成のいずれか１つが成功した場合にサブセルＩＤを取得するように動作する取得部６０２２と、を含み、サブセルＩＤは、成功したランダムアクセス構成の順番に関連する。
【０１２５】
したがって、サブセルＩＤは、一次同期信号／二次同期信号（ＰＳＳ：Ｐｒｉｍａｒｙ  Ｓｙｎｃｈｒｏｎｉｚａｔｉｏｎ  Ｓｉｇｎａｌ／ＳＳＳ：Ｓｅｃｏｎｄａｒｙ  Ｓｙｎｃｈｒｏｎｉｚａｔｉｏｎ  Ｓｉｇｎａｌ）に代えてＳＩＢおよびランダムアクセスチャネル（ＲＡＣＨ：Ｒａｎｄｏｍ  Ａｃｃｅｓｓ  Ｃｈａｎｎｅｌ）手順から取得することができる。そのため、サブセルＩＤ取得動作を行う際に追加的な／新しい信号をさらに使用する必要がなく、システムの複雑度を低減することができる。
【０１２６】
一実施形態では、サブセルＩＤは、成功したランダムアクセス構成の順番、または成功したランダムアクセス構成の順番の関数であってよい。例えば、成功したランダムアクセス構成の順番が１番目である場合、サブセルＩＤは１もしくは０（すなわち、順番−１）、または成功したランダムアクセス構成の順番の他の関数であってよい。したがって、成功したランダムアクセス構成の順番だけが再使用され、サブセルＩＤ取得動作を行う際に追加的な／新しい信号をさらに使用する必要がなく、システムの複雑度を低減することができる。
【０１２７】
一実施形態では、ＳＩＢ中のランダムアクセス構成信号は、Ｓｕｂｃｅｌｌ＿０｛このサブセルの選択基準，物理ランダムアクセスチャネル（ＰＲＡＣＨ）に関連する構成，ランダムアクセス応答（ＲＡＲ）の構成（参照信号（ＲＳ）を含む），グループサーチ構成，物理制御フォーマットインジケータチャネル（ＰＣＦＩＣＨ：Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）に関連する構成の可能性，．．．．｝、Ｓｕｂｃｅｌｌ＿１｛このサブセルの選択基準，ＰＲＡＣＨに関連する構成，ＲＡＲ構成（ＲＳを含む），グループサーチ構成，ＰＣＦＩＣＨに関連する構成の可能性，．．．．｝、および．．．Ｓｕｂｃｅｌｌ＿ｎ｛このサブセルの選択基準，ＰＲＡＣＨに関連する構成，ＲＡＲ構成（ＲＳを含む），グループサーチ構成，ＰＣＦＩＣＨに関連する構成の可能性，．．．．｝を含むことができ、ここでｎは正の整数である。
【０１２８】
このように、ＵＥは、上記のいずれかのランダムアクセス手順が成功した場合にサブセルＩＤを取得し、例えば上記の第３の手順が成功する場合、サブセルＩＤは２である。したがって、成功したランダムアクセス構成の順番だけが再使用され、サブセルＩＤ取得動作を行う際に追加的な／新しい信号をさらに使用する必要がなく、システムの複雑度を低減することができる。
【０１２９】
一実施形態では、送受信機６０１は、ＳＩＢ中のすべてのランダムアクセス構成信号を受信してよい。例えば、セル共通ＳＩＢが、すべてのサブセルの情報を示す。したがって、各ＵＥの送受信機は、どのランダムアクセス構成が成功したかを判定するために、ＳＩＢ中のすべてのランダムアクセス構成信号を受信することができる。
【０１３０】
一実施形態では、送受信機は、ＳＩＢ中のランダムアクセス構成信号の一部を受信する。例えば、セル固有ＳＩＢは、反復レベルのような何らかの尺度に基づくサブセルグループ固有ＳＩＢを示す。例えば、セル固有ＳＩＢは、サブセルグループ固有ＳＩＢ  Ａ（反復が少ない）およびサブセルグループ固有ＳＩＢ  Ｂ（反復が多い）を示し、そのため、あるサブセルグループのＵＥは固有ＳＩＢ  Ａ（少ない反復）を受信することができ、別のサブセルグループのいくつかの他のＵＥはサブセルグループ固有ＳＩＢ  Ｂ（反復が多い）を受信することができる。したがって、エアインターフェースオーバーヘッドおよびシステムリソースをさらに節減することができる。
【０１３１】
図７は、本発明の第６の実施形態に係るＵＥのための方法７００のフローチャートを概略的に示す。
【０１３２】
セル内のユーザ機器（ＵＥ）のための方法７００は、第２のノードとの間でデータを送信および受信するステップＳ７０１と、サブセルＩＤ取得動作を行うステップＳ７０２と、を含み、サブセルＩＤは同じサブセル内のＵＥに割り当てられ、セルは、ある種類の領域の異なる分割部分にあるサブセルに分割され、サブセルＩＤ取得動作は、送受信機にシステム情報ブロック（ＳＩＢ）中のランダムアクセス構成信号を受信させることにより、ランダムアクセス構成を行うステップＳ７０２１と、ランダムアクセス構成のいずれか１つが成功した場合にサブセルＩＤを取得するステップＳ７０２２であって、サブセルＩＤが、成功したランダムアクセス構成の順番に関連するステップと、を含む。
【０１３３】
一実施形態では、サブセルＩＤは、成功したランダムアクセス構成の順番、または成功したランダムアクセス構成の順番の関数であってよい。
【０１３４】
一実施形態では、ＳＩＢ中のランダムアクセス構成信号は、Ｓｕｂｃｅｌｌ＿０｛このサブセルの選択基準，物理ランダムアクセスチャネル（ＰＲＡＣＨ）に関連する構成，ランダムアクセス応答（ＲＡＲ）の構成（参照信号（ＲＳ）を含む），グループサーチ構成，物理制御フォーマットインジケータチャネル（ＰＣＦＩＣＨ）に関連する構成の可能性，．．．．｝、Ｓｕｂｃｅｌｌ＿１｛このサブセルの選択基準，ＰＲＡＣＨに関連する構成，ＲＡＲ構成（ＲＳを含む），グループサーチ構成，ＰＣＦＩＣＨに関連する構成の可能性，．．．．｝、および．．．Ｓｕｂｃｅｌｌ＿ｎ｛このサブセルの選択基準，ＰＲＡＣＨに関連する構成，ＲＡＲ構成（ＲＳを含む），グループサーチ構成，ＰＣＦＩＣＨに関連する構成の可能性，．．．．｝を含むことができ、ここでｎは正の整数である。
【０１３５】
一実施形態では、受信するステップは、ＳＩＢ中のすべてのランダムアクセス構成信号を受信してよい。
【０１３６】
一実施形態では、受信するステップは、ＳＩＢ中のランダムアクセス構成信号の一部を受信してよい。
【０１３７】
したがって、成功したランダムアクセス構成の順番だけが再使用され、サブセルＩＤ取得動作を行う際に追加的な／新しい信号をさらに使用する必要がなく、システムの複雑度を低減することができる。
【０１３８】
図８は、本発明の第６の実施形態に係るＵＥのための別の詳細な方法８００のフローチャートを概略的に示す。
【０１３９】
この実施形態では、ＳＩＢ中でのサブセル情報の詳細な指示に関して２つのオプションがある。
【０１４０】
オプション１：セル共通ＳＩＢが、すべてのサブセルの情報を示す。
【０１４１】
オプション２：セル固有ＳＩＢが、反復レベルのような何らかの尺度に基づくサブセルグループ固有ＳＩＢを示す。例えば、セル固有ＳＩＢは、サブセルグループ固有ＳＩＢ  Ａ（少ない反復）およびサブセルグループ固有ＳＩＢ  Ｂ（多い反復）を示す。
【０１４２】
したがって、エアインターフェースオーバーヘッドおよびシステムリソースをさらに節減することができる。
【０１４３】
図９は、本発明の第７の実施形態に係るＢＳ９００のブロック図を概略的に示す。
【０１４４】
基地局９００は、ユーザ機器（ＵＥ）との間でデータを送信および受信するように動作する送受信機９０１と、セルをある種類の領域の異なる分割部分にあるサブセルに分割し、送受信機に、ランダムアクセス構成のためにランダムアクセス構成信号をシステム情報ブロック（ＳＩＢ）中でＵＥへ送信させるように動作する回路９０２と、を備え、サブセルＩＤは同じサブセル内のＵＥに割り当てられ、サブセルＩＤは、ＵＥにおいてランダムアクセス構成のいずれか１つが成功した場合にそのＵＥに割り当てられ、サブセルＩＤは、成功したランダムアクセス構成の順番に関連する。
【０１４５】
一実施形態では、サブセルＩＤは、成功したランダムアクセス構成の順番、または成功したランダムアクセス構成の順番の関数であってよい。
【０１４６】
一実施形態では、ＳＩＢ中のランダムアクセス構成信号は、Ｓｕｂｃｅｌｌ＿０｛このサブセルの選択基準，物理ランダムアクセスチャネル（ＰＲＡＣＨ）に関連する構成，ランダムアクセス応答（ＲＡＲ）の構成（参照信号（ＲＳ）を含む），グループサーチ構成，物理制御フォーマットインジケータチャネル（ＰＣＦＩＣＨ）に関連する構成の可能性，．．．．｝、Ｓｕｂｃｅｌｌ＿１｛このサブセルの選択基準，ＰＲＡＣＨに関連する構成，ＲＡＲ構成（ＲＳを含む），グループサーチ構成，ＰＣＦＩＣＨに関連する構成の可能性，．．．．｝、および．．．Ｓｕｂｃｅｌｌ＿ｎ｛このサブセルの選択基準，ＰＲＡＣＨに関連する構成，ＲＡＲ構成（ＲＳを含む），グループサーチ構成，ＰＣＦＩＣＨに関連する構成の可能性，．．．．｝を含むことができ、ここでｎは正の整数である。
【０１４７】
一実施形態では、回路は、送受信機に、ＳＩＢ中のすべてのランダムアクセス構成信号をセル内のすべてのＵＥへ送信させるように動作してよい。
【０１４８】
一実施形態では、回路は、送受信機に、ＳＩＢ中のランダムアクセス構成信号の一部をセル内のＵＥの一部へ送信させ、ＳＩＢ中のランダムアクセス構成信号の別の一部をセル内のＵＥの別の一部へ送信させるように動作してよい。
【０１４９】
したがって、成功したランダムアクセス構成の順番だけが再使用され、サブセルＩＤ取得動作を行う際に追加的な／新しい信号をさらに使用する必要がなく、システムの複雑度を低減することができる。
【０１５０】
ＢＳ９００はＵＥ６００と通信できることに留意されたい。
【０１５１】
図１０は、本発明の第８の実施形態に係るＢＳのための方法１０００のフローチャートを概略的に示す。
【０１５２】
基地局のための方法１０００は、セルをある種類の領域の異なる分割部分にあるサブセルに分割するステップＳ１００１と、ランダムアクセス構成のためにランダムアクセス構成信号をシステム情報ブロック（ＳＩＢ）中でユーザ機器（ＵＥ）に送信するステップＳ１００２と、を含み、サブセルＩＤは同じサブセル内のＵＥに割り当てられ、サブセルＩＤは、ＵＥにおいてランダムアクセス構成のいずれか１つが成功した場合にそのＵＥに割り当てられ、サブセルＩＤは、成功したランダムアクセス構成の順番に関連する。
【０１５３】
一実施形態では、サブセルＩＤは、成功したランダムアクセス構成の順番、または成功したランダムアクセス構成の順番の関数であってよい。
【０１５４】
一実施形態では、ＳＩＢ中のランダムアクセス構成信号は、Ｓｕｂｃｅｌｌ＿０｛このサブセルの選択基準，物理ランダムアクセスチャネル（ＰＲＡＣＨ）に関連する構成，ランダムアクセス応答（ＲＡＲ）の構成（参照信号（ＲＳ）を含む），グループサーチ構成，物理制御フォーマットインジケータチャネル（ＰＣＦＩＣＨ）に関連する構成の可能性，．．．．｝、Ｓｕｂｃｅｌｌ＿１｛このサブセルの選択基準，ＰＲＡＣＨに関連する構成，ＲＡＲ構成（ＲＳを含む），グループサーチ構成，ＰＣＦＩＣＨに関連する構成の可能性，．．．．｝、および．．．Ｓｕｂｃｅｌｌ＿ｎ｛このサブセルの選択基準，ＰＲＡＣＨに関連する構成，ＲＡＲ構成（ＲＳを含む），グループサーチ構成，ＰＣＦＩＣＨに関連する構成の可能性，．．．．｝を含むことができ、ここでｎは正の整数である。
【０１５５】
一実施形態では、送信するステップＳ１００２は、ＳＩＢ中のすべてのランダムアクセス構成信号をセル内のすべてのＵＥに送信するステップを含んでよい。
【０１５６】
一実施形態では、送信するステップＳ１００２は、ＳＩＢ中のランダムアクセス構成信号の一部を、セル内のＵＥの一部に送信し、ＳＩＢ中のランダムアクセス構成信号の別の一部を、セル内のＵＥの別の一部に送信するステップを含んでよい。
【０１５７】
したがって、成功したランダムアクセス構成の順番だけが再使用され、サブセルＩＤ取得動作を行う際に追加的な／新しい信号をさらに使用する必要がなく、システムの複雑度を低減することができる。
【０１５８】
また、本開示の実施形態は、少なくとも以下の主題を提供することができる。
【０１５９】
（１）第１のノードにおけるユーザ機器（ＵＥ）であって、
第２のノードとの間でデータを送信および受信するように動作する送受信機と、
少なくともサブセル識別子（ＩＤ）を物理レイヤの動作のために使用するように動作する回路と、を備え、
サブセルＩＤは、同じサブセル内のＵＥに割り当てられ、セルは、ある種類の領域の異なる分割部分にあるサブセルに分割される。
【０１６０】
（２）（１）に係るユーザ機器であって、領域の種類は、ワイヤレスビーム領域、ワイヤレス周波数リソース領域、およびワイヤレスカバレッジ領域、の少なくとも１つを含む。
【０１６１】
（３）（１）に係るユーザ機器であって、セルは、セルにより送信されるシステム情報の構成に基づいてサブセルに分割される。
【０１６２】
（４）（１）に係るユーザ機器であって、同じサブセル内のＵＥは、サブセルＩＤを使用することにより、同じグループ共通制御チャネルを共有するか、または同じグループ共通サーチスペースを共有し、同じサブセル内のＵＥはセルからシステム情報を得る。
【０１６３】
（５）（１）に係るユーザ機器であって、物理レイヤの動作は、サーチスペースランダム化、スクランブルシーケンスおよび参照信号の生成、ならびに巡回冗長検査（ＣＲＣ）のマスキング、の少なくとも１つを含む。
【０１６４】
（６）（５）に係るユーザ機器であって、物理レイヤの動作は、グループ共通制御チャネルの、サーチスペースランダム化、参照信号生成、スクランブルシーケンス生成、および巡回冗長検査（ＣＲＣ）マスキング、のうちの少なくとも１つにおける初期化手順を含む。
【０１６５】
（７）（５）または（６）に係るユーザ機器であって、回路は、物理レイヤの動作のためにサブセルＩＤの関数およびセルＩＤを使用するように動作するか、または
回路は、物理レイヤの動作のためにサブセルＩＤを使用するように動作する。
【０１６６】
（８）（７）に係るユーザ機器であって、セルＩＤは物理セル識別（ＰＣＩ）である。
【０１６７】
（９）（７）に係るユーザ機器であって、
物理レイヤの動作が拡張型物理ダウンリンク制御チャネル（ＥＰＤＣＣＨ）に基づくサーチスペースランダム化である場合、回路は、
Ｙｐ，−１＝ｎ＿ｓｕｂｃｅｌｌ＋ｎ＿ｃｅｌｌ≠０をサーチスペースランダム化の初期化に適用するか、または
Ｙｐ，−１＝ｎ＿ｃｅｌｌ×（２＾（ｎ＿ｓｕｂｃｅｌｌのビット幅））＋ｎ＿ｓｕｂｃｅｌｌ≠０をサーチスペースランダム化の初期化に適用するか、または
Ｙｐ，−１＝ｎ＿ｓｕｂｃｅｌｌ×（２＾（ｎ＿ｃｅｌｌのビット幅））＋ｎ＿ｃｅｌｌ≠０をサーチスペースランダム化の初期化に適用するか、または
Ｙｐ，−１＝ｎ＿ｓｕｂｃｅｌｌ≠０をサーチスペースランダム化の初期化に適用するように動作し、
ｎ＿ｓｕｂｃｅｌｌはサブセルＩＤを示し、ｎ＿ｃｅｌｌはセルＩＤを示す。
【０１６８】
（１０）（７）に係るユーザ機器であって、
物理レイヤの動作が、物理ダウンリンク制御チャネル（ＰＤＣＣＨ）に基づくサーチスペースランダム化である場合、回路は、
Ｙ−１＝ｎ＿ｓｕｂｃｅｌｌ＋ｎ＿ｃｅｌｌ≠０をサーチスペースランダム化の初期化に適用するか、または
Ｙ−１＝ｎ＿ｃｅｌｌ×（２＾（ｎ＿ｓｕｂｃｅｌｌのビット幅））＋ｎ＿ｓｕｂｃｅｌｌ≠０をサーチスペースランダム化の初期化に適用するか、または
Ｙ−１＝ｎ＿ｓｕｂｃｅｌｌ×（２＾（ｎ＿ｃｅｌｌのビット幅））＋ｎ＿ｃｅｌｌ≠０をサーチスペースランダム化の初期化に適用するか、または
Ｙ−１＝ｎ＿ｓｕｂｃｅｌｌ≠０をサーチスペースランダム化の初期化に適用するように動作し、
ｎ＿ｓｕｂｃｅｌｌはサブセルＩＤを示し、ｎ＿ｃｅｌｌはセルＩＤを示す。
【０１６９】
（１０）（７）に係るユーザ機器であって、
物理レイヤの動作が参照信号生成である場合、回路は、
【数６３】
0006899439.tif 000064
を参照信号生成の初期化に適用するように動作し、
ｎｓｕｂｃｅｌｌは、サブセルＩＤの１０進値を示し、ｎｃｅｌｌはセルＩＤの１０進値を示し、
【数６４】
0006899439.tif 000065
は無線フレーム中のスロット番号であり、
【数６５】
0006899439.tif 000066
である。
【０１７０】
（１１）（７）に係るユーザ機器であって、
物理レイヤの動作がスクランブルシーケンス生成である場合、回路は、
【数６６】
0006899439.tif 000067
をスクランブルシーケンス生成の初期化に適用するように動作し、
【数６７】
0006899439.tif 000068
はサブセルＩＤを示し、
【数６８】
0006899439.tif 000069
はセルＩＤを示す。
【０１７１】
（１２）（７）に係るユーザ機器であって、
物理レイヤの動作が、ユニキャストデータチャネルのスクランブルシーケンス生成および参照信号生成である場合、回路は、
【数６９】
0006899439.tif 000070
をユニキャストデータチャネルのスクランブルシーケンス生成の初期化に適用するか、または、
【数７０】
0006899439.tif 000071
をユニキャストデータチャネルの参照信号生成の初期化に適用するように動作し、
【数７１】
0006899439.tif 000072
はサブセルＩＤを示し、
【数７２】
0006899439.tif 000073
はセルＩＤを示し、ｎＲＮＴＩは、セル−無線ネットワーク一時識別子（Ｃ−ＲＮＴＩ）であり、ｎｓは無線フレーム中のスロット番号であり、ｑはコードワード数に関連し、ｑ∈｛０，１｝であり、単一コードワードの送信の場合、ｑはゼロに等しく、その他の場合は１に等しい。
【０１７２】
（１３）（７）に係るユーザ機器であって、
物理レイヤの動作が制御チャネルのＣＲＣマスキングである場合、回路は、
サブセルＩＤのビット数が８である場合は、サブセルＩＤにレガシー無線ネットワーク一時識別（ＲＮＴＩ）を加えたものをＣＲＣマスキングに適用し、
サブセルＩＤのビット数が８より小さいＸである場合は、（８−Ｘ）個の「ゼロ」ビットにサブセルＩＤおよびレガシーＲＮＴＩを加えたものをＣＲＣマスキングに適用し、
サブセルＩＤのビット数が８より大きいＹである場合は、サブセルＩＤの８ビットの最下位ビット（ＬＳＢ）にレガシーＲＮＴＩを加えたものをＣＲＣマスキングに適用するように動作し、
ＸおよびＹはそれぞれ正の整数である。
【０１７３】
（１４）第１のノードにおけるユーザ機器（ＵＥ）のための方法であって、
第２のノードとの間でデータを送信および受信するステップと、
少なくともサブセル識別子（ＩＤ）を物理レイヤの動作のために使用するステップと、を含み、
サブセルＩＤは、同じサブセル内のＵＥに割り当てられ、セルは、ある種類の領域の異なる分割部分にあるサブセルに分割される。
【０１７４】
（１５）（１４）に係る方法であって、領域の種類は、ワイヤレスビーム領域、ワイヤレス周波数リソース領域、およびワイヤレスカバレッジ領域、の少なくとも１つを含む。
【０１７５】
（１６）（１４）に係る方法であって、セルは、セルにより送信されるシステム情報の構成に基づいてサブセルに分割される。
【０１７６】
（１７）（１４）に係る方法であって、同じサブセル内のＵＥは、サブセルＩＤを使用することにより、同じグループ共通制御チャネルを共有するか、または同じグループ共通サーチスペースを共有し、同じサブセル内のＵＥはセルからシステム情報を得る。
【０１７７】
（１８）（１４）に係る方法であって、物理レイヤの動作は、サーチスペースランダム化、スクランブルシーケンスおよび参照信号の生成、ならびに巡回冗長検査（ＣＲＣ）のマスキング、の少なくとも１つを含む。
【０１７８】
（１９）（１８）に係る方法であって、物理レイヤの動作は、グループ共通制御チャネルの、サーチスペースランダム化、参照信号生成、スクランブルシーケンス生成、および巡回冗長検査（ＣＲＣ）マスキング、のうちの少なくとも１つにおける初期化手順を含む。
【０１７９】
（２０）（１８）または（１９）に係る方法であって、回路は、物理レイヤの動作のためにサブセルＩＤの関数およびセルＩＤを使用するように動作するか、または
回路は、物理レイヤの動作のためにサブセルＩＤを使用するように動作する。
【０１８０】
（２１）（２０）に係る方法であって、セルＩＤは物理セル識別（ＰＣＩ）である。
【０１８１】
（２２）（２０）に係る方法であって、
物理レイヤの動作が拡張型物理ダウンリンク制御チャネル（ＥＰＤＣＣＨ）に基づくサーチスペースランダム化である場合、回路は、
Ｙｐ，−１＝ｎ＿ｓｕｂｃｅｌｌ＋ｎ＿ｃｅｌｌ≠０をサーチスペースランダム化の初期化に適用するか、または
Ｙｐ，−１＝ｎ＿ｃｅｌｌ×（２＾（ｎ＿ｓｕｂｃｅｌｌのビット幅））＋ｎ＿ｓｕｂｃｅｌｌ≠０をサーチスペースランダム化の初期化に適用するか、または
Ｙｐ，−１＝ｎ＿ｓｕｂｃｅｌｌ×（２＾（ｎ＿ｃｅｌｌのビット幅））＋ｎ＿ｃｅｌｌ≠０をサーチスペースランダム化の初期化に適用するか、または
Ｙｐ，−１＝ｎ＿ｓｕｂｃｅｌｌ≠０をサーチスペースランダム化の初期化に適用するように動作し、
ｎ＿ｓｕｂｃｅｌｌはサブセルＩＤを示し、ｎ＿ｃｅｌｌはセルＩＤを示す。
【０１８２】
（２３）（２０）に係る方法であって、
物理レイヤの動作が、物理ダウンリンク制御チャネル（ＰＤＣＣＨ）に基づくサーチスペースランダム化である場合、回路は、
Ｙ−１＝ｎ＿ｓｕｂｃｅｌｌ＋ｎ＿ｃｅｌｌ≠０をサーチスペースランダム化の初期化に適用するか、または
Ｙ−１＝ｎ＿ｃｅｌｌ×（２＾（ｎ＿ｓｕｂｃｅｌｌのビット幅））＋ｎ＿ｓｕｂｃｅｌｌ≠０をサーチスペースランダム化の初期化に適用するか、または
Ｙ−１＝ｎ＿ｓｕｂｃｅｌｌ×（２＾（ｎ＿ｃｅｌｌのビット幅））＋ｎ＿ｃｅｌｌ≠０をサーチスペースランダム化の初期化に適用するか、または
Ｙ−１＝ｎ＿ｓｕｂｃｅｌｌ≠０をサーチスペースランダム化の初期化に適用するように動作し、
ｎ＿ｓｕｂｃｅｌｌはサブセルＩＤを示し、ｎ＿ｃｅｌｌはセルＩＤを示す。
【０１８３】
（２４）（２０）に係る方法であって、
物理レイヤの動作が参照信号生成である場合、回路は、
【数７３】
0006899439.tif 000074
を参照信号生成の初期化に適用するように動作し、
ｎｓｕｂｃｅｌｌは、サブセルＩＤの１０進値を示し、ｎｃｅｌｌはセルＩＤの１０進値を示し、
【数７４】
0006899439.tif 000075
は無線フレーム中のスロット番号であり、
【数７５】
0006899439.tif 000076
である。
【０１８４】
（２５）（２０）に係る方法であって、
物理レイヤの動作がスクランブルシーケンス生成である場合、回路は、
【数７６】
0006899439.tif 000077
をスクランブルシーケンス生成の初期化に適用するように動作し、
【数７７】
0006899439.tif 000078
はサブセルＩＤを示し、
【数７８】
0006899439.tif 000079
はセルＩＤを示す。
【０１８５】
（２６）（２０）に係る方法であって、
物理レイヤの動作が、ユニキャストデータチャネルのスクランブルシーケンス生成および参照信号生成である場合、回路は、
【数７９】
0006899439.tif 000080
をユニキャストデータチャネルのスクランブルシーケンス生成の初期化に適用するか、または、
【数８０】
0006899439.tif 000081
をユニキャストデータチャネルの参照信号生成の初期化に適用するように動作し、
【数８１】
0006899439.tif 000082
はサブセルＩＤを示し、
【数８２】
0006899439.tif 000083
はセルＩＤを示し、ｎＲＮＴＩは、セル−無線ネットワーク一時識別子（Ｃ−ＲＮＴＩ）であり、ｎｓは無線フレーム中のスロット番号であり、ｑはコードワード数に関連し、ｑ∈｛０，１｝であり、単一コードワードの送信の場合、ｑはゼロに等しく、その他の場合は１に等しい。
【０１８６】
（２７）（２０）に係る方法であって、
物理レイヤの動作が制御チャネルのＣＲＣマスキングである場合、回路は、
サブセルＩＤのビット数が８である場合は、サブセルＩＤにレガシー無線ネットワーク一時識別（ＲＮＴＩ）を加えたものをＣＲＣマスキングに適用し、
サブセルＩＤのビット数が８より小さいＸである場合は、（８−Ｘ）個の「ゼロ」ビットにサブセルＩＤおよびレガシーＲＮＴＩを加えたものをＣＲＣマスキングに適用し、
サブセルＩＤのビット数が８より大きいＹである場合は、サブセルＩＤの８ビットの最下位ビット（ＬＳＢ）にレガシーＲＮＴＩを加えたものをＣＲＣマスキングに適用するように動作し、
ＸおよびＹはそれぞれ正の整数である。
【０１８７】
（２８）基地局であって、
ユーザ機器との間でデータを送信および受信するように動作する送受信機と、
セルをある種類の領域の異なる分割部分にあるサブセルに分割するように動作する回路と、を備え、
サブセル識別子（ＩＤ）が、同じサブセル内のユーザ機器（ＵＥ）に割り当てられ、少なくともサブセルＩＤが、ＵＥにおける物理レイヤの動作のために使用される。
【０１８８】
（２９）（２８）に係る基地局であって、領域の種類は、ワイヤレスビーム領域、ワイヤレス周波数リソース領域、およびワイヤレスカバレッジ領域、の少なくとも１つを含む。
【０１８９】
（３０）（２８）に係る基地局であって、回路は、セルにより送信されるシステム情報の構成に基づいてセルをサブセルに分割するように動作する。
【０１９０】
（３１）（２８）に記載の基地局であって、同じサブセル内のＵＥは、サブセルＩＤを使用することにより、同じグループ共通制御チャネルを共有するか、または同じグループ共通サーチスペースを共有し、同じサブセル内のＵＥはセルからシステム情報を得る。
【０１９１】
（３２）（２８）に係る基地局であって、物理レイヤの動作は、サーチスペースランダム化、スクランブルシーケンスおよび参照信号の生成、ならびに巡回冗長検査（ＣＲＣ）のマスキング、の少なくとも１つを含むことができる。
【０１９２】
（３３）（３２）に係る基地局であって、物理レイヤの動作は、グループ共通制御チャネルの、サーチスペースランダム化、参照信号生成、スクランブルシーケンス生成、および巡回冗長検査（ＣＲＣ）マスキング、のうちの少なくとも１つにおける初期化手順を含むことができる。
【０１９３】
（３４）（３２）または（３３）に係る基地局であって、サブセルＩＤの関数およびセルＩＤが物理レイヤの動作のために使用されるか、または
サブセルＩＤが物理レイヤの動作のために使用される。
【０１９４】
（３５）（３４）に係る基地局であって、セルＩＤは物理セル識別（ＰＣＩ）である。
【０１９５】
（３６）（３４）に係る基地局であって、
物理レイヤの動作が拡張型物理ダウンリンク制御チャネル（ＥＰＤＣＣＨ）に基づくサーチスペースランダム化である場合、
Ｙｐ，−１＝ｎ＿ｓｕｂｃｅｌｌ＋ｎ＿ｃｅｌｌ≠０をサーチスペースランダム化の初期化に適用するか、または
Ｙｐ，−１＝ｎ＿ｃｅｌｌ×（２＾（ｎ＿ｓｕｂｃｅｌｌのビット幅））＋ｎ＿ｓｕｂｃｅｌｌ≠０をサーチスペースランダム化の初期化に適用するか、または
Ｙｐ，−１＝ｎ＿ｓｕｂｃｅｌｌ×（２＾（ｎ＿ｃｅｌｌのビット幅））＋ｎ＿ｃｅｌｌ≠０をサーチスペースランダム化の初期化に適用するか、または
Ｙｐ，−１＝ｎ＿ｓｕｂｃｅｌｌ≠０をサーチスペースランダム化の初期化に適用することにより、
少なくともサブセルＩＤがＵＥにおける物理レイヤの動作のために使用され、
ｎ＿ｓｕｂｃｅｌｌはサブセルＩＤを示し、ｎ＿ｃｅｌｌはセルＩＤを示す。
【０１９６】
（３７）（３４）に係る基地局であって、
物理レイヤの動作が、物理ダウンリンク制御チャネル（ＰＤＣＣＨ）に基づくサーチスペースランダム化である場合、
Ｙ−１＝ｎ＿ｓｕｂｃｅｌｌ＋ｎ＿ｃｅｌｌ≠０をサーチスペースランダム化の初期化に適用するか、
Ｙ−１＝ｎ＿ｃｅｌｌ×（２＾（ｎ＿ｓｕｂｃｅｌｌのビット幅））＋ｎ＿ｓｕｂｃｅｌｌ≠０をサーチスペースランダム化の初期化に適用するか、または
Ｙ−１＝ｎ＿ｓｕｂｃｅｌｌ×（２＾（ｎ＿ｃｅｌｌのビット幅））＋ｎ＿ｃｅｌｌ≠０をサーチスペースランダム化の初期化に適用するか、または
Ｙ−１＝ｎ＿ｓｕｂｃｅｌｌ≠０をサーチスペースランダム化の初期化に適用することにより、
少なくともサブセルＩＤがＵＥにおける物理レイヤの動作のために使用され、
ｎ＿ｓｕｂｃｅｌｌはサブセルＩＤを示し、ｎ＿ｃｅｌｌはセルＩＤを示す。
【０１９７】
（３８）（３４）に係る基地局であって、
物理レイヤの動作が参照信号生成である場合、
【数８３】
0006899439.tif 000084
を参照信号生成の初期化に適用することにより、少なくともサブセルＩＤがＵＥにおける物理レイヤの動作のために使用され、
ｎｓｕｂｃｅｌｌは、サブセルＩＤの１０進値を示し、ｎｃｅｌｌはセルＩＤの１０進値を示し、
【数８４】
0006899439.tif 000085
は無線フレーム中のスロット番号であり、
【数８５】
0006899439.tif 000086
である。
【０１９８】
（３９）（３４）に係る基地局であって、
物理レイヤの動作がスクランブルシーケンス生成である場合、
【数８６】
0006899439.tif 000087
をスクランブルシーケンス生成の初期化に適用することにより、少なくともサブセルＩＤがＵＥにおける物理レイヤの動作のために使用され、
【数８７】
0006899439.tif 000088
はサブセルＩＤを示し、
【数８８】
0006899439.tif 000089
はセルＩＤを示す。
【０１９９】
（４０）（３４）に係る基地局であって、
物理レイヤの動作が、ユニキャストデータチャネルのスクランブルシーケンス生成および参照信号生成である場合、
【数８９】
0006899439.tif 000090
をユニキャストデータチャネルのスクランブルシーケンス生成の初期化に適用するか、または
【数９０】
0006899439.tif 000091
をユニキャストデータチャネルの参照信号生成の初期化に適用することにより、
少なくともサブセルＩＤがＵＥにおける物理レイヤの動作のために使用され、
【数９１】
0006899439.tif 000092
はサブセルＩＤを示し、
【数９２】
0006899439.tif 000093
はセルＩＤを示し、ｎＲＮＴＩは、セル−無線ネットワーク一時識別子（Ｃ−ＲＮＴＩ）であり、ｎｓは無線フレーム中のスロット番号であり、ｑはコードワード数に関連し、ｑ∈｛０，１｝であり、単一コードワードの送信の場合、ｑはゼロに等しく、その他の場合は１に等しい。
【０２００】
（４１）（３４）に係る基地局であって、
物理レイヤの動作が制御チャネルのＣＲＣマスキングである場合、
サブセルＩＤのビット数が８である場合は、サブセルＩＤにレガシー無線ネットワーク一時識別（ＲＮＴＩ）を加えたものをＣＲＣマスキングに適用し、
サブセルＩＤのビット数が８より小さいＸである場合は、（８−Ｘ）個の「ゼロ」ビットにサブセルＩＤおよびレガシーＲＮＴＩを加えたものをＣＲＣマスキングに適用し、
サブセルＩＤのビット数が８より大きいＹである場合は、サブセルＩＤの８ビットの最下位ビット（ＬＳＢ）にレガシーＲＮＴＩを加えたものをＣＲＣマスキングに適用することにより、
少なくともサブセルＩＤがＵＥにおける物理レイヤの動作のために使用され、
ＸおよびＹはそれぞれ正の整数である。
【０２０１】
（４２）基地局のための方法であって、
ユーザ機器との間でデータを送信および受信するステップと、
セルをある種類の領域の異なる分割部分にあるサブセルに分割するステップと、を含み、
サブセル識別子（ＩＤ）が、同じサブセル内のユーザ機器（ＵＥ）に割り当てられ、少なくともサブセルＩＤがＵＥにおける物理レイヤの動作のために使用される。
【０２０２】
（４３）（４２）に係る方法であって、領域の種類は、ワイヤレスビーム領域、ワイヤレス周波数リソース領域、およびワイヤレスカバレッジ領域、の少なくとも１つを含む。
【０２０３】
（４４）（４２）に係る方法であって、分割するステップは、セルにより送信されるシステム情報の構成に基づいてセルをサブセルに分割する。
【０２０４】
（４５）（４２）に係る方法であって、同じサブセル内のＵＥは、サブセルＩＤを使用することにより、同じグループ共通制御チャネルを共有するか、または同じグループ共通サーチスペースを共有し、同じサブセル内のＵＥはセルからシステム情報を得る。
【０２０５】
（４６）（４２）に係る方法であって、物理レイヤの動作は、サーチスペースランダム化、スクランブルシーケンスおよび参照信号の生成、ならびに巡回冗長検査（ＣＲＣ）のマスキング、の少なくとも１つを含む。
【０２０６】
（４７）（４６）に係る方法であって、物理レイヤの動作は、グループ共通制御チャネルの、サーチスペースランダム化、参照信号生成、スクランブルシーケンス生成、および巡回冗長検査（ＣＲＣ）マスキング、のうちの少なくとも１つにおける初期化手順を含む。
【０２０７】
（４８）（４６）または（４７）に係る方法であって、サブセルＩＤの関数およびセルＩＤが物理レイヤの動作のために使用されるか、または
サブセルＩＤが物理レイヤの動作のために使用される。
【０２０８】
（４９）（４８）に係る方法であって、セルＩＤは物理セル識別（ＰＣＩ）である。
【０２０９】
（５０）（４８）に係る方法であって、
物理レイヤの動作が拡張型物理ダウンリンク制御チャネル（ＥＰＤＣＣＨ）に基づくサーチスペースランダム化である場合、
Ｙｐ，−１＝ｎ＿ｓｕｂｃｅｌｌ＋ｎ＿ｃｅｌｌ≠０をサーチスペースランダム化の初期化に適用するか、または
Ｙｐ，−１＝ｎ＿ｃｅｌｌ×（２＾（ｎ＿ｓｕｂｃｅｌｌのビット幅））＋ｎ＿ｓｕｂｃｅｌｌ≠０をサーチスペースランダム化の初期化に適用するか、または
Ｙｐ，−１＝ｎ＿ｓｕｂｃｅｌｌ×（２＾（ｎ＿ｃｅｌｌのビット幅））＋ｎ＿ｃｅｌｌ≠０をサーチスペースランダム化の初期化に適用するか、または
Ｙｐ，−１＝ｎ＿ｓｕｂｃｅｌｌ≠０をサーチスペースランダム化の初期化に適用することにより、
少なくともサブセルＩＤがＵＥにおける物理レイヤの動作のために使用され、
ｎ＿ｓｕｂｃｅｌｌはサブセルＩＤを示し、ｎ＿ｃｅｌｌはセルＩＤを示す。
【０２１０】
（５１）（４８）に係る方法であって、
物理レイヤの動作が、物理ダウンリンク制御チャネル（ＰＤＣＣＨ）に基づくサーチスペースランダム化である場合、
Ｙ−１＝ｎ＿ｓｕｂｃｅｌｌ＋ｎ＿ｃｅｌｌ≠０をサーチスペースランダム化の初期化に適用するか、
Ｙ−１＝ｎ＿ｃｅｌｌ×（２＾（ｎ＿ｓｕｂｃｅｌｌのビット幅））＋ｎ＿ｓｕｂｃｅｌｌ≠０をサーチスペースランダム化の初期化に適用するか、または
Ｙ−１＝ｎ＿ｓｕｂｃｅｌｌ×（２＾（ｎ＿ｃｅｌｌのビット幅））＋ｎ＿ｃｅｌｌ≠０をサーチスペースランダム化の初期化に適用するか、または
Ｙ−１＝ｎ＿ｓｕｂｃｅｌｌ≠０をサーチスペースランダム化の初期化に適用することにより、
少なくともサブセルＩＤがＵＥにおける物理レイヤの動作のために使用され、
ｎ＿ｓｕｂｃｅｌｌはサブセルＩＤを示し、ｎ＿ｃｅｌｌはセルＩＤを示す。
【０２１１】
（５２）（４８）に係る方法であって、
物理レイヤの動作が参照信号生成である場合、
【数９３】
0006899439.tif 000094
を参照信号生成の初期化に適用することにより、
少なくともサブセルＩＤがＵＥにおける物理レイヤの動作のために使用され、
ｎｓｕｂｃｅｌｌは、サブセルＩＤの１０進値を示し、ｎｃｅｌｌはセルＩＤの１０進値を示し、
【数９４】
0006899439.tif 000095
は無線フレーム中のスロット番号であり、
【数９５】
0006899439.tif 000096
である。
【０２１２】
（５３）（４８）に係る方法であって、
物理レイヤの動作がスクランブルシーケンス生成である場合、
【数９６】
0006899439.tif 000097
をスクランブルシーケンス生成の初期化に適用することにより、
少なくともサブセルＩＤがＵＥにおける物理レイヤの動作のために使用され、
【数９７】
0006899439.tif 000098
はサブセルＩＤを示し、
【数９８】
0006899439.tif 000099
はセルＩＤを示す。
【０２１３】
（５４）（４８）に係る方法であって、
物理レイヤの動作が、ユニキャストデータチャネルのスクランブルシーケンス生成および参照信号生成である場合、
【数９９】
0006899439.tif 000100
をユニキャストデータチャネルのスクランブルシーケンス生成の初期化に適用するか、または
【数１００】
0006899439.tif 000101
をユニキャストデータチャネルの参照信号生成の初期化に適用することにより、
少なくともサブセルＩＤがＵＥにおける物理レイヤの動作のために使用され、
【数１０１】
0006899439.tif 000102
はサブセルＩＤを示し、
【数１０２】
0006899439.tif 000103
はセルＩＤを示し、ｎＲＮＴＩは、セル−無線ネットワーク一時識別子（Ｃ−ＲＮＴＩ）であり、ｎｓは無線フレーム中のスロット番号であり、ｑはコードワード数に関連し、ｑ∈｛０，１｝であり、単一コードワードの送信の場合、ｑはゼロに等しく、その他の場合は１に等しい。
【０２１４】
（５５）（４８）に係る方法であって、
物理レイヤの動作が制御チャネルのＣＲＣマスキングである場合、
サブセルＩＤのビット数が８である場合は、サブセルＩＤにレガシー無線ネットワーク一時識別（ＲＮＴＩ）を加えたものをＣＲＣマスキングに適用し、
サブセルＩＤのビット数が８より小さいＸである場合は、（８−Ｘ）個の「ゼロ」ビットにサブセルＩＤおよびレガシーＲＮＴＩを加えたものをＣＲＣマスキングに適用し、
サブセルＩＤのビット数が８より大きいＹである場合は、サブセルＩＤの８ビットの最下位ビット（ＬＳＢ）にレガシーＲＮＴＩを加えたものをＣＲＣマスキングに適用することにより、
少なくともサブセルＩＤがＵＥにおける物理レイヤの動作のために使用され、
ＸおよびＹはそれぞれ正の整数である。
【０２１５】
（６０）セル内のユーザ機器（ＵＥ）であって、
第２のノードとの間でデータを送信および受信するように動作する送受信機と、
サブセルＩＤ取得動作を行うように動作する回路と、を備え、サブセルＩＤは同じサブセル内のＵＥに割り当てられ、セルは、ある種類の領域の異なる分割部分にあるサブセルに分割され、
回路は、
送受信機にシステム情報ブロック（ＳＩＢ）中のランダムアクセス構成信号を受信させることにより、ランダムアクセス構成を行うように動作する実行部と、
ランダムアクセス構成のいずれか１つが成功した場合にサブセルＩＤを取得するように動作する取得部と、を含み、サブセルＩＤは、成功したランダムアクセス構成の順番に関連する。
【０２１６】
（６１）（６０）に係るＵＥであって、サブセルＩＤは、成功したランダムアクセス構成の順番、または成功したランダムアクセス構成の順番の関数である。
【０２１７】
（６２）（６０）に係るＵＥであって、ＳＩＢ中のランダムアクセス構成信号は、
Ｓｕｂｃｅｌｌ＿０｛このサブセルの選択基準，物理ランダムアクセスチャネル（ＰＲＡＣＨ）に関連する構成，ランダムアクセス応答（ＲＡＲ）の構成（参照信号（ＲＳ）を含む），グループサーチ構成，物理制御フォーマットインジケータチャネル（ＰＣＦＩＣＨ）に関連する構成の可能性，．．．．｝、
Ｓｕｂｃｅｌｌ＿１｛このサブセルの選択基準，ＰＲＡＣＨに関連する構成，ＲＡＲ構成（ＲＳを含む），グループサーチ構成，ＰＣＦＩＣＨに関連する構成の可能性，．．．．｝、および
．．．
Ｓｕｂｃｅｌｌ＿ｎ｛このサブセルの選択基準，ＰＲＡＣＨに関連する構成，ＲＡＲ構成（ＲＳを含む），グループサーチ構成，ＰＣＦＩＣＨに関連する構成の可能性，．．．．｝を含み、
ｎは正の整数である。
【０２１８】
（６３）（６０）に係るＵＥであって、送受信機は、ＳＩＢ中のすべてのランダムアクセス構成信号を受信する。
【０２１９】
（６４）（６０）に係るＵＥであって、送受信機は、ＳＩＢ中のランダムアクセス構成信号の一部を受信する。
【０２２０】
（６５）セル内のユーザ機器（ＵＥ）のための方法であって、
第２のノードとの間でデータを送信および受信するステップと、
サブセルＩＤ取得動作を行うステップであって、サブセルＩＤは同じサブセル内のＵＥに割り当てられ、セルは、ある種類の領域の異なる分割部分にあるサブセルに分割される、ステップと、を含み、
サブセルＩＤ取得動作は、
送受信機にシステム情報ブロック（ＳＩＢ）中のランダムアクセス構成信号を受信させることにより、ランダムアクセス構成を行うステップと、
ランダムアクセス構成のいずれか１つが成功した場合にサブセルＩＤを取得するステップであって、サブセルＩＤは、成功したランダムアクセス構成の順番に関連する、ステップと、を含む。
【０２２１】
（６６）（６５）に係る方法であって、サブセルＩＤは、成功したランダムアクセス構成の順番、または成功したランダムアクセス構成の順番の関数である。
【０２２２】
（６７）（６５）に係る方法であって、ＳＩＢ中のランダムアクセス構成信号は、
Ｓｕｂｃｅｌｌ＿０｛このサブセルの選択基準，物理ランダムアクセスチャネル（ＰＲＡＣＨ）に関連する構成，ランダムアクセス応答（ＲＡＲ）の構成（参照信号（ＲＳ）を含む），グループサーチ構成，物理制御フォーマットインジケータチャネル（ＰＣＦＩＣＨ）に関連する構成の可能性，．．．．｝、
Ｓｕｂｃｅｌｌ＿１｛このサブセルの選択基準，ＰＲＡＣＨに関連する構成，ＲＡＲ構成（ＲＳを含む），グループサーチ構成，ＰＣＦＩＣＨに関連する構成の可能性，．．．．｝、および
．．．
Ｓｕｂｃｅｌｌ＿ｎ｛このサブセルの選択基準，ＰＲＡＣＨに関連する構成，ＲＡＲ構成（ＲＳを含む），グループサーチ構成，ＰＣＦＩＣＨに関連する構成の可能性，．．．．｝を含み、
ｎは正の整数である。
【０２２３】
（６８）（６５）に係る方法であって、受信するステップは、ＳＩＢ中のすべてのランダムアクセス構成信号を受信する。
【０２２４】
（６９）（６５）に係る方法であって、受信するステップは、ＳＩＢ中のランダムアクセス構成信号の一部を受信する。
【０２２５】
（７０）基地局であって、
ユーザ機器（ＵＥ）との間でデータを送信および受信するように動作する送受信機と、
セルをある種類の領域の異なる分割部分にあるサブセルに分割し、送受信機に、ランダムアクセス構成のためにランダムアクセス構成信号をシステム情報ブロック（ＳＩＢ）中でＵＥへ送信させるように動作する回路と、を備え、
サブセルＩＤは同じサブセル内のＵＥに割り当てられ、サブセルＩＤは、ＵＥにおいてランダムアクセス構成のいずれか１つが成功した場合にそのＵＥに割り当てられ、サブセルＩＤは、成功したランダムアクセス構成の順番に関連する。
【０２２６】
（７１）（７０）に係る基地局であって、サブセルＩＤは、成功したランダムアクセス構成の順番、または成功したランダムアクセス構成の順番の関数である。
【０２２７】
（７２）（７０）に係る基地局であって、ＳＩＢ中のランダムアクセス構成信号は、
Ｓｕｂｃｅｌｌ＿０｛このサブセルの選択基準，物理ランダムアクセスチャネル（ＰＲＡＣＨ）に関連する構成，ランダムアクセス応答（ＲＡＲ）の構成（参照信号（ＲＳ）を含む），グループサーチ構成，物理制御フォーマットインジケータチャネル（ＰＣＦＩＣＨ）に関連する構成の可能性，．．．．｝、
Ｓｕｂｃｅｌｌ＿１｛このサブセルの選択基準，ＰＲＡＣＨに関連する構成，ＲＡＲ構成（ＲＳを含む），グループサーチ構成，ＰＣＦＩＣＨに関連する構成の可能性，．．．．｝、および
．．．
Ｓｕｂｃｅｌｌ＿ｎ｛このサブセルの選択基準，ＰＲＡＣＨに関連する構成，ＲＡＲ構成（ＲＳを含む），グループサーチ構成，ＰＣＦＩＣＨに関連する構成の可能性，．．．．｝を含み、
ｎは正の整数である。
【０２２８】
（７３）（７０）に係る基地局であって、回路は、送受信機に、ＳＩＢ中のすべてのランダムアクセス構成信号をセル内のすべてのＵＥへ送信させるように動作する。
【０２２９】
（７４）（７０）に係る基地局であって、回路は、送受信機に、ＳＩＢ中のランダムアクセス構成信号の一部をセル内のＵＥの一部へ送信させ、ＳＩＢ中のランダムアクセス構成信号の別の一部をセル内のＵＥの別の一部へ送信させるように動作する。
【０２３０】
（７５）基地局のための方法であって、
セルをある種類の領域の異なる分割部分にあるサブセルに分割するステップと、
ランダムアクセス構成のためにランダムアクセス構成信号をシステム情報ブロック（ＳＩＢ）中でユーザ機器（ＵＥ）に送信するステップと、を含み、
サブセルＩＤは同じサブセル内の方法に割り当てられ、サブセルＩＤは、ＵＥにおいてランダムアクセス構成のいずれか１つが成功した場合にそのＵＥに割り当てられ、サブセルＩＤは、成功したランダムアクセス構成の順番に関連する。
【０２３１】
（７６）（７５）に係る方法であって、サブセルＩＤは、成功したランダムアクセス構成の順番、または成功したランダムアクセス構成の順番の関数である。
【０２３２】
（７７）（７５）に係る方法であって、ＳＩＢ中のランダムアクセス構成信号は、
Ｓｕｂｃｅｌｌ＿０｛このサブセルの選択基準，物理ランダムアクセスチャネル（ＰＲＡＣＨ）に関連する構成，ランダムアクセス応答（ＲＡＲ）の構成（参照信号（ＲＳ）を含む），グループサーチ構成，物理制御フォーマットインジケータチャネル（ＰＣＦＩＣＨ）に関連する構成の可能性，．．．．｝、
Ｓｕｂｃｅｌｌ＿１｛このサブセルの選択基準，ＰＲＡＣＨに関連する構成，ＲＡＲ構成（ＲＳを含む），グループサーチ構成，ＰＣＦＩＣＨに関連する構成の可能性，．．．．｝、および
．．．
Ｓｕｂｃｅｌｌ＿ｎ｛このサブセルの選択基準，ＰＲＡＣＨに関連する構成，ＲＡＲ構成（ＲＳを含む），グループサーチ構成，ＰＣＦＩＣＨに関連する構成の可能性，．．．．｝を含み、
ｎは正の整数である。
【０２３３】
（７８）（７５）に係る方法であって、送信するステップは、ＳＩＢ中のすべてのランダムアクセス構成信号をセル内のすべてのＵＥに送信するステップを含む。
【０２３４】
（７９）（７５）に係るＵＥであって、送信するステップは、ＳＩＢ中のランダムアクセス構成信号の一部を、セル内のＵＥの一部に送信し、ＳＩＢ中のランダムアクセス構成信号の別の一部を、セル内のＵＥの別の一部に送信するステップを含む。
【０２３５】
本開示は、ソフトウェア、ハードウェア、またはハードウェアと協働するソフトウェアにより実現することができる。上記の各実施形態の説明で使用される各機能ブロックは、一部または全体を、集積回路などのＬＳＩによって実現することができ、各実施形態に記載される各プロセスは、一部または全体が、一つの同じＬＳＩまたは複数のＬＳＩの組み合わせによって制御されてよい。ＬＳＩは、個々が複数のチップとして形成されよく、または１つのチップが機能ブロックの一部またはすべてを含むように形成されてもよい。ＬＳＩは、それに結合されたデータ入出力を含んでよい。ここで、ＬＳＩは、集積度の違いに応じて、ＩＣ、システムＬＳＩ、スーパーＬＳＩ、または超ＬＳＩと呼ばれることがある。しかし、集積回路を実装する技術はＬＳＩに限定されず、専用回路、汎用プロセッサ、または特殊目的プロセッサを使用することにより実現されてよい。また、ＬＳＩの製造後にプログラムすることが可能なＦＰＧＡ（フィールドプログラム可能ゲートアレイ）、またはＬＳＩ内部に配置された回路セルの接続および設定を再構成可能な再構成可能プロセッサが使用されてもよい。本開示は、デジタル処理またはアナログ処理として実現することができる。半導体技術または他の派生技術が進歩した結果、将来の集積回路技術がＬＳＩに取って替わる場合、機能ブロックは、その将来の集積回路技術を使用して集積してもよい。バイオテクノロジーも適用することができる。
【０２３６】
本開示のいくつかの実施形態の例について、添付する具体的な実施形態の図示を参照しながら上記で詳細に説明した。構成要素または技術の考えられるあらゆる組み合わせを記載することは無論可能でないため、当業者は、本開示の範囲から逸脱することなく、上記の実施形態に様々な変更がなされてよいことを認識されよう。例えば、上記実施形態は、第３世代パートナーシッププロジェクト（３ＧＰＰ）ネットワークの一部を参照して説明しているが、本開示の一実施形態は、同様の機能的構成要素を有する３ＧＰＰネットワークの後継などの同様のネットワークにも適用可能であることが容易に認識されよう。
【０２３７】
したがって、特に、現在または将来に、上記の記載、および同梱の図面および添付の特許請求の範囲で使用される用語「３ＧＰＰ」およびそれに関連または関係する用語は、それに応じて解釈すべきである。
【０２３８】
本開示は、ソフトウェア、ハードウェア、またはハードウェアと協働するソフトウェアにより実現することができる。上記の各実施形態の説明で使用される各機能ブロックは、集積回路としてのＬＳＩにより実現することができ、各実施形態に記載される各プロセスは、ＬＳＩによって制御されてよい。それらは、個々にチップとして形成されても、または１つのチップが機能ブロックの一部またはすべてを含むように形成されてもよい。それらは、それに結合されたデータ入出力を含んでよい。ここで、ＬＳＩは、集積度の違いに応じて、ＩＣ、システムＬＳＩ、スーパーＬＳＩ、または超ＬＳＩと呼ばれることがある。しかし、集積回路を実装する技術はＬＳＩに限定されず、専用回路または汎用プロセッサを使用することにより実現されてよい。また、ＬＳＩの製造後にプログラムすることが可能なＦＰＧＡ（フィールドプログラム可能ゲートアレイ）、またはＬＳＩ内部に配置された回路セルの接続および設定を再構成可能な再構成可能プロセッサが使用されてもよい。
【０２３９】
注意すべき点として、開示される開示内容の変更または他の実施形態が、上述の記載および関連する図面に提示される教示の利益を受ける当業者に思い付かれよう。したがって、開示内容は、開示される特定の実施形態に限定されず、変更および他の実施形態が本開示の範囲内に含まれることが意図されることを理解すべきである。本明細書では特定の用語が使用される場合があるが、それらは一般的で説明的な意味でのみ使用されており、限定を目的とするものではない。
【図１】
0006899439.tif 000104
【図２Ａ】
0006899439.tif 000105
【図２Ｂ】
0006899439.tif 000106
【図３】
0006899439.tif 000107
【図４】
0006899439.tif 000108
【図５】
0006899439.tif 000109
【図６】
0006899439.tif 000110
【図７】
0006899439.tif 000111
【図８】
0006899439.tif 000112
【図９】
0006899439.tif 000113
【図１０】
0006899439.tif 000114